(57)【要約】  無線通信環境において、無線ノード間の公正なリソース共有の提供がここに説明される。例として、公正さは、無線ノードに対する１組のリソース共有クレジットを確立することを含み得る。クレジットを費やすことによって、ノードは借入れノードの動作を可能にまたは向上するために別のノードのリソースを借り得る。借入れノードに対するクレジットは、共有リソースの消費に基づいて減少される。または貸出しノードに対するクレジットは、そのような消費に基づいて増加される。またはその双方である。クレジットの量がいったん満了すると、十分なリソースがクレジットの適切な量を確立するために貸出されるまで、ノードは更なるリソースを借入れることを制約され得る。従って、この公正さは、協調無線通信への参加を促すために、共有リソースの消費と共有リソースの供給を互いに関連させることを含み得る。
2011526130.tif 000002
【特許請求の範囲】
【請求項１】
無線ネットワークにおいてリソースを共有する方法であって、
無線通信装置からネットワークサービス要求を取得するための通信インタフェイスを使用することと、
前記無線装置に対する共有リソース管理命令を実行するための１つ以上のデータプロセッサを使用することとを含み、
前記命令は、前記データプロセッサに、
前記ネットワークサービス要求の取得時に、前記無線装置に対するクレジットの量を初期化させ、かつ
前記無線装置が、異なる無線ノードとリソースを共有し、または異なる無線ノードによって共有されたリソースを使用する場合、クレジットの前記量を更新させる、方法。
【請求項２】
前記無線装置が前記異なる無線ノードと前記リソースを共有する場合、クレジットの前記量を増加させることをさらに含む、請求項１の方法。
【請求項３】
前記無線装置が前記異なる無線ノードのリソースを消費する場合、クレジットの前記量を減少させることをさらに含む、請求項１の方法。
【請求項４】
前記無線装置がリソース共有の加入に関係づけられているかどうかを判定すること、および
前記リソース共有加入の判定を、前記無線装置に対するクレジットの初期化の条件とすること、または
前記リソース共有加入において指定された要求に基づいてクレジットの前記量を更新すること、再初期化すること、もしくは再設定すること、
の少なくとも１つ、
をさらに含む、請求項１の方法。
【請求項５】
前記無線装置に対する無線リソースの共有をイネーブルにするかまたはディスエーブルにする、前記無線装置に対するユーザフラグを取得することをさらに含む、請求項１の方法。
【請求項６】
前記ユーザフラグの状態を、前記無線装置と第２の無線装置との間のリソースの共有の条件とすることをさらに含む、請求項５の方法。
【請求項７】
無線ネットワーク内の個々の無線ノードに対するそれぞれの記録を初期化することと、
他のそのようなノードのリソースを消費する、または他のそのようなノードへリソースを提供するノードに対するクレジットを更新して、前記それぞれの記録におけるそれぞれの無線ノードに対するクレジットの量を追跡することと、
前記初期化されたまたは更新された記録をデータベース内に格納することと、
関連ノードが前記無線ネットワークによって検出されない場合、一時メモリから記録を消去することと、
前記関連ノードが続いて前記無線ネットワークにおいて検出される場合、前記データベースから前記記録を再アクセスすることと、
をさらに含む、請求項１方法。
【請求項８】
前記装置がリソース共有要求を拒否する場合、前記無線装置に対するペナルティーをインプリメントすることをさらに含む、請求項１に記載の方法。
【請求項９】
前記ペナルティーが、ペナルティー時間の間リソース借入を制約すること、またはクレジットの前記量を減少させることを含む、請求項８の方法。
【請求項１０】
前記リソース共有が、
前記無線装置に対する、または、による干渉を抑えること、
前記無線装置もしくは第２の無線装置に対するトラヒックサービス品質（ｑｕａｌｉｔｙ  ｏｆ  ｓｅｒｖｉｃｅ：ＱｏＳ）を向上させること、
前記無線装置もしくは第２の無線装置のためのプロセッサ、電池もしくは記憶のリソースを保存すること、または、
前記無線装置もしくは第２の無線装置を使用する分散された多入力（ｍｕｌｔｉｐｌｅｉｎｐｕｔ：ＭＩ）、多出力（ｍｕｌｔｉｐｌｅ  ｏｕｔｐｕｔ：ＭＯ）もしくは多入力多出力（ｍｕｌｔｉｐｌｅ  ｉｎｐｕｔ  ｍｕｌｔｉｐｌｅ  ｏｕｔｐｕｔ：ＭＩＭＯ）通信を実施すること、
に関係づけられる、請求項１の方法。
【請求項１１】
前記共有リソースとして、
ネットワークに割り当てられた無線信号のタイムスロット、
ネットワークに割り当てられた前記無線信号の周波数帯、
ネットワークに割り当てられた前記無線信号の1組の直交周波数多元接続（ＯＦＤＭ）シンボル、
ネットワークに割り当てられた前記無線信号の１組の符号分割多元接続（ＣＤＭＡ）符号、
前記無線装置もしくは第２の無線装置に対してネットワークが割当てた送信電力の増加または減少、
ライセンスを受けたネットワークアプリケーションもしくは前記ネットワークにリンクされた第三者アプリケーション、
ネットワーク接続期間、
前記無線装置または第２の無線装置の１組のプロセッササイクル、または、
前記無線装置または第２の無線装置、もしくはそれらの組合せのメモリ格納空間、
の少なくとも１つを特定することをさらに含む、請求項１の方法。
【請求項１２】
無線通信における共有リソースを容易にする装置であって、
コード化された命令を実行するための１組のプロセッサであって、前記コード化された命令が前記プロセッサに、無線通信装置からのネットワークサービス要求を取得させおよび復号させる、１組のプロセッサと、
前記ネットワークサービス要求に応答して、前記無線装置に対するクレジットの量を初期化し、維持するアカウンティングモジュールと、
前記無線装置が第２の無線ノードとリソースを共有するか、または第２の無線ノードによって共有されたリソースを消費する場合、前記アカウンティングモジュールによって維持されたクレジットの前記量を更新する調停モジュールと、
を含む装置。
【請求項１３】
前記調停モジュールが、前記無線装置が前記異なる無線ノードと前記リソースを共有する場合、クレジットの前記量を増加させる、請求項１２の装置。
【請求項１４】
前記調停モジュールが、前記無線装置が前記異なる無線ノードのリソースを消費する場合、クレジットの前記量を減少させる、請求項１２の装置。
【請求項１５】
前記無線装置がリソース共有の加入に関係づけられているかどうかを判定することと、
前記リソース共有加入の判定を、前記無線装置に対するリソース共有のクレジットもしくは利用可能性の初期化の条件とすること、または、
前記リソース共有加入の仕様に基づいてクレジットの前記量を更新し、再初期化し、もしくは再設定すること、
の少なくとも１つとを行うアクセスモジュールをさらに備える、請求項１２の装置。
【請求項１６】
前記無線装置の無線リソースの共有を動作可能にするかまたは動作不能にするためのユーザフラグの状態をチェックする選択モジュールをさらに含む、請求項１２の装置。
【請求項１７】
前記選択モジュールが、前記ユーザフラグの状態を、前記無線装置のリソースを提供することの条件とする、請求項１６の装置。
【請求項１８】
前記アカウンティングモジュールが、無線ネットワークの個々の無線ノードに対するそれぞれの記録に対するそれぞれの記録を初期化し、および前記それぞれの記録における前記それぞれの無線ノードに対するクレジットの量を追跡し、
前記調停モジュールが、他のそのようなノードのリソースを消費するまたは他のそのようなノードへリソースを提供するノードに対するクレジットを更新し、
前記アカウンティングモジュールが、前記装置と通信的に接続されたデータベースに前記初期化されたまたは更新された記録を格納し、および関連ノードが前記無線ネットワーク内で続いて検出されない場合、一時メモリから記録を消去し、および
前記アカウンティングモジュールが、前記関連ノードが直後に前記無線ネットワーク内で検出される場合、前記データベースから前記一時メモリへ前記記録を再ロードする、
請求項１２の装置。
【請求項１９】
前記装置に、そのような装置がリソース共有要求を拒否する場合、ペナルティーを課す制約モジュールをさらに含む、請求項１２の装置。
【請求項２０】
前記ペナルティーが、ペナルティー時間の間、共有リソースアクセスを制約すること、またはクレジットの前記量を減少させることを含む、請求項１９の装置。
【請求項２１】
前記装置が、無線ネットワークにおける干渉またはトラヒックＱｏＳを改善するためにリソース共有を使用するか、または前記無線ネットワークの無線ノードの物理的リソースを保存するか、またはそのような１組の無線ノードに対して分散された複数アンテナ通信を実施する、請求項１２に記載の装置。
【請求項２２】
前記調停モジュールが、クレジットの前記量を更新するための共有リソースとして、
ネットワークに割り当てられた無線信号のタイムスロット、
ネットワークに割り当てられた前記無線信号の周波数帯域、
ネットワークに割り当てられた前記無線信号の１組のＯＦＤＭシンボル、
ネットワークに割り当てられた前記無線信号の１組のＣＤＭＡ符号、
ネットワークに割り当てられた送信電力の修正、
ライセンスを受けたネットワークアプリケーションもしくは前記ネットワークにリンクされた第三者アプリケーション、
ネットワーク接続期間、
前記無線装置もしくは第２の無線装置の１組のプロセッササイクル、または
前記無線装置もしくは第２の無線装置、もしくはそれらの組合せのメモリ格納空間、
の少なくとも１つを特定する、請求項１２の装置。
【請求項２３】
無線ネットワークにおけるリソースを共有することを容易にする装置であって、
無線通信装置からネットワークサービス要求を取得するための無線または有線通信インタフェイスを使用するための手段と、
前記ネットワークサービス要求の取得時に、前記無線装置に対するクレジットの量を初期化するための１つ以上のデータプロセッサを使用するための手段と、
前記無線装置が、異なる無線ノードとリソースを共有しまたは異なる無線ノードによって共有されたリソースを使用する場合、クレジットの前記量を更新するための前記データプロセッサを使用するための手段と、
を含む装置。
【請求項２４】
無線ネットワークにおけるリソースを共有することを容易にするように構成された少なくとも１つのプロセッサであって、
無線通信装置からネットワークサービス要求を取得するための第１のモジュールと、
前記ネットワークサービス要求の取得時に、前記無線装置に対するクレジットの量を初期化するための第２のモジュールと、
前記無線装置が、異なる無線ノードとリソースを共有しまたは異なる無線ノードによって共有されたリソースを使用する場合、クレジットの前記量を更新するための第３のモジュールと、
を含む少なくとも１つのプロセッサ。
【請求項２５】
コンピュータに、無線通信装置からネットワークサービス要求を取得させるための第１の組のコードと、
前記コンピュータに、前記ネットワークサービス要求の取得時に、前記無線装置に対するクレジットの量を初期化させるための第２の組のコードと、
前記コンピュータに、前記無線装置が、異なる無線ノードとリソースを共有しまたは異なる無線ノードによって共有されたリソースを使用する場合、クレジットの前記量を更新させるための第３の組のコードと、
を含む、コンピュータ読み取り可能な媒体
を含む、コンピュータプログラム製品。
【請求項２６】
無線通信環境における協調通信のための方法であって、
無線通信信号を送信するまたは受信するための無線アクセス端末（ＡＴ）の無線インタフェイスを使用することと、
異なる無線通信デバイスとのリソース共有のための規則を実施するための１組のデータプロセッサを使用することとを含み、
前記規則が、前記プロセッサに、
前記無線通信デバイスからまたは前記無線通信デバイスへ無線通信リソースをそれぞれ取得するためまたは提供するための要求を管理させ、
共有リソースが前記要求の結果として費やされる場合、無線共有クレジットのデータ記録の修正を支援させる方法。
【請求項２７】
前記データ記録内の前記無線共有クレジットの状態に基づいて、前記要求を提出することまたは認証することをさらに含む、請求項２６の方法。
【請求項２８】
前記無線共有クレジットが閾値量を超える場合、前記要求を前記無線通信デバイスが開始する場合には前記要求を認証すること、もしくは前記要求を前記ＡＴが開始する場合には前記要求を提出すること、または、
前記無線共有クレジットが前記閾値量を超えることに失敗した場合、前記要求の認証または提出を拒否すること、
の少なくとも１つをさらに含む、請求項２７の方法。
【請求項２９】
前記無線通信リソースとして、チャンネル帯域幅、電力、プロセッササイクル、接続性、ライセンス、記憶装置、入力機能または出力機能を使用することをさらに含む、請求項２６の方法。
【請求項３０】
前記無線通信デバイスによる共有のために利用可能なリソースを搬送するために前記無線インタフェイスを使用することをさらに含む、請求項２６の方法。
【請求項３１】
前記ＡＴによる借入に利用可能なリソースを要求するために前記無線インタフェイスを使用することをさらに含む、請求項２６の方法。
【請求項３２】
前記データ記録の修正を支援することが、
前記無線通信デバイスが前記ＡＴによって提供された前記無線リソースを費やす場合、前記無線共有クレジットの量を増加すること、または
前記ＡＴが前記無線通信デバイスによって提供された前記無線リソースを費やす場合、前記無線共有クレジットの量を減少すること
の少なくとも１つをさらに含む、請求項２６の方法。
【請求項３３】
前記データ記録の修正を支援することが、前記ＡＴによって提供されたまたは利用された、消費されたリソースの確認を無線ネットワークへ提出することをさらに含む、請求項２６に記載の方法。
【請求項３４】
前記要求を管理することが、ユーザ認証フラグをチェックすることをさらに含む、請求項２６の方法。
【請求項３５】
前記ユーザ認証フラグの状態に基づいてリソースに対する要求を許可することまたは拒否することをさらに含む、請求項３４の方法。
【請求項３６】
ネットワークサービスに対する要求を提出するために前記無線インタフェイスを使用することをさらに含み、無線クレジットの初期量が、前記ネットワークサービス要求に応答して取得される、請求項２６に記載の方法。
【請求項３７】
無線通信環境で動作可能な装置であって、
無線データの送信または受信のための無線通信インタフェイスと、
無線通信信号を解析するための少なくとも１つのデータプロセッサと、
無線通信装置のリソースを利用するための要求を開始するか、または前記装置のリソースを利用するための要求を取得する共有化モジュールと、
前記装置によって消費されたかまたは提供されたリソースの追跡を容易にする調停モジュールと、
を含む装置。
【請求項３８】
前記調停モジュールが、前記装置によって消費されたまたは提供された前記リソースを追跡するために、メモリに格納されたデータ記録を確立する、請求項３７の装置。
【請求項３９】
前記調停モジュールが、共有リソースの消費に基づいて共有されたモバイルの分（ｍｏｂｉｌｅ―ｍｉｎｕｔｅ）の量を増加または減少する、請求項３７の装置。
【請求項４０】
前記調停モジュールが、
前記装置が前記無線通信装置によって消費される前記リソースを提供する場合、前記装置に関係づけられた共有されたモバイル通信時間の数を増加させる、または
前記装置が前記無線通信装置によって提供された前記リソースを消費する場合、共有されたモバイルの分の前記数を減少させる、
の少なくとも１つを行う、請求項３９の装置。
【請求項４１】
ユーザ共有フラグの状態に基づいて前記装置の前記リソースを共有する要求を承認する判定モジュールをさらに含む、請求項３７の装置。
【請求項４２】
前記装置の利用可能なリソースと比較したサービスのリソース要請に基づいて、前記無線通信装置の前記リソースを利用する要求を提出するアクセスモジュールをさらに含む、請求項３７の装置。
【請求項４３】
前記アクセスモジュールが、ユーザ共有フラグの状態を前記要求の提出の条件とする、請求項３７の装置。
【請求項４４】
協調無線通信に関連して前記装置によって消費された、または前記装置によって消費のために提供されたリソースの証明をネットワークへ提出する報告モジュールをさらに含む、請求項３７の装置。
【請求項４５】
前記装置による消費のために利用可能な前記無線通信装置のリソースを取得する、または
前記無線通信装置による消費のために利用可能な前記装置のリソースを特定する、
の少なくとも１つを行うリソース管理モジュールをさらに含む、請求項３７の装置。
【請求項４６】
消費に利用可能な前記無線通信装置の前記リソースを取得するためにピアデータ交換を使用するピアツーピア通信モジュールをさらに含む、請求項４５の装置。
【請求項４７】
前記装置の前記リソースまたは前記無線通信装置のリソースが、チャンネル帯域幅、送信電力の増加または減少、プロセッササイクルの数、ネットワーク接続性、アプリケーションまたはサービスライセンス、データ記憶装置の量、入力機能または出力機能を含む、請求項３７の装置。
【請求項４８】
無線通信環境における協調通信のための装置であって、
無線通信信号を送信するまたは受信するための無線ＡＴの無線インタフェイスを使用するための手段と、
前記装置と無線通信デバイスの間で無線通信リソースを共有するための要求を管理するための１組のデータプロセッサを使用するための手段と、
共有リソースが前記要求の結果として費やされる場合、無線共有クレジットのデータ記録の修正を容易にするための手段と、
を含む装置。
【請求項４９】
無線通信環境における協調通信のために構成された少なくとも１つのプロセッサであって、
無線通信を送信するかまたは受信する第１のモジュールと、
前記無線通信デバイスからまたは前記無線通信デバイスへ無線通信リソースをそれぞれ取得するためまたは提供するための要求を管理する第２のモジュールと、
前記要求の結果として、共有リソースが費やされる場合、無線共有クレジットのデータ記録の修正を容易にする第３のモジュールと、
を含む少なくとも１つのプロセッサ。
【請求項５０】
コンピュータに、無線通信信号を送信させるかまたは受信させるための第１の組のコードと、
前記コンピュータに、前記コンピュータと無線通信デバイスの間で無線通信リソースを共有するための要求を管理させるための第２の組のコードと、
共有リソースが前記要求の結果として費やされる場合、前記コンピュータに、無線共有クレジットのデータ記録の修正を支援させるための第３の組のコードと、
を含むコンピュータ読み取り可能な媒体、
を含むコンピュータプログラム製品。
【発明の詳細な説明】
【技術分野】
【０００１】
米国特許法１１９条のもとでの優先権主張
本出願は、２００８年６月２６日に出願され、ここの譲受人に譲渡され、ここに参照として明白に組み込まれ、「協調システムにおける公正なリソース共有（ＦＡＩＲ  ＲＥＳＯＵＲＣＥ  ＳＨＡＲＩＮＧ  ＩＮ  ＣＯＯＰＥＲＡＴＩＶＥ  ＳＹＳＴＥＭＳ）」と名称がつけられた米国仮特許出願第６１／０７５，８６８号に対して優先権を主張する。  
以下の記載は、一般には、無線通信に関係し、より具体的には、無線通信環境における無線モード間のリソース共有における公正さを提供することに関する。
【背景技術】
【０００２】
無線通信システムは、例えば音声コンテンツ、データコンテンツ、その他のような種々の形式の通信コンテンツを提供するために広く展開されている。典型的な無線通信システムは利用可能なシステムリソース（例えば帯域幅、送信電力）を共有することによって複数ユーザとの交信をサポートできる多元接続システムであり得る。そのような多元接続システムの例は符号分割多元接続（ｃｏｄｅ  ｄｉｖｉｓｉｏｎ  ｍｕｌｔｉｐｌｅ  ａｃｃｅｓｓ：ＣＤＭＡ）システム、時分割多元接続（ｔｉｍｅ  ｄｉｖｉｓｉｏｎ  ｍｕｌｔｉｐｌｅ  ａｃｃｅｓｓ：ＴＤＭＡ）システム、周波数分割多元接続（ｆｒｅｑｕｅｎｃｙ  ｄｉｖｉｓｉｏｎ  ｍｕｌｔｉｐｌｅ  ａｃｃｅｓｓ：ＦＤＭＡ）システム、直交周波数分割多元接続（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ：ＯＦＤＭＡ）システム、およびその他を含み得る。
【０００３】
一般に、無線多元接続通信システムは、同時に複数のユーザ端末に対して通信をサポートし得る。移動デバイスは個々に順方向および逆方向リンク上の伝送を介して１つ以上の基地局と交信し得る。順方向リンク（すなわち、ダウンリンク）は基地局からユーザ端末への通信リンクを指し、逆方向リンク（すなわち、アップリンク）はユーザ端末から基地局への通信リンクを指す。さらに、ユーザ端末と基地局間の通信は、単入力単出力（ｓｉｎｇｌｅ−ｉｎｐｕｔ  ｓｉｎｇｌｅ−ｏｕｔｐｕｔ：ＳＩＳＯ）システム、多入力単出力（ｍｕｌｔｉｐｌｅ−ｉｎｐｕｔ  ｓｉｎｇｌｅ−ｏｕｔｐｕｔ：ＭＩＳＯ）システム、多入力多出力（ｍｕｌｔｉｐｌｅ−ｉｎｐｕｔ  ｍｕｌｔｉｐｌｅ−ｏｕｔｐｕｔ：ＭＩＭＯ）システムなどを介して確立され得る。
【０００４】
上記に加えて、アドホック無線通信ネットワークは、通信デバイスが移動しながらおよび従来の基地局を必要とせずに、情報を送信または受信することを可能にする。これらの通信ネットワークは、ユーザ端末からのおよびユーザ端末への情報の転送を容易にするために、他の公共または私設ネットワークと例えば有線または無線アクセスポイントを介して通信的に接続され得る。そのようなアドホック通信ネットワークは、ピアツーピアの方法で通信する複数のアクセス端末（例えば、移動通信デバイス、携帯電話、無線ユーザ端末）を通常含む。また、通信ネットワークは、アクセス端末間のピアツーピア通信を支援する強い信号を放射するビーコンポイントも含み得る。例えば、放射されたビーコンはそのような端末のタイミング同期を容易にするタイミング情報を含み得る。
【０００５】
無線通信は、特定の地域内で、特定の無線周波数で信号を送信する複数の無線送受信機を一般に含む。近隣の送受信機が共通の周波数で、共通の時間に、または共通の符号もしくはシンボルを使用して（例えば共通無線リソースを利用して）送信する場合、複数の送受信機の信号間の干渉が生じ得る。送信のオーバラップおよびその結果としての信号干渉を緩和するために、信号が他の信号から区別されることができるように、無線通信は時間、周波数、または種々の符号もしくはシンボルリソースで通常は構成される。例えば、直交周波数で送信すると同様に、異なる時間に送信することは弁別を可能にする。さらに、直交符号またはシンボルを使用することは、時間的に同じ点で送信された信号に対してさえも緩和される干渉を生じ得る。このように、無線リソースは、複数ノードが所与の無線環境において動作することを可能にするために、セグメント化される。
【０００６】
複数のアクセスシステムが、干渉を減少させ、高品質の通信を提供するための（例えばリソースのセグメント化のような）種々の手法を使用するにもかかわらず、無線環境において送信機の数が増加するに従って、干渉問題が再発する傾向にある。従って、ネットワーク通信制御器は、いくつかのノードに対し干渉が起きる他のノードへチャンネルリソース（例えば送信時間、送信周波数）を譲るようにしばしば要求する。そのような決定はそれぞれのノード等のトラヒック優先度、シグナリング優先度などことが可能である。そのような配置は干渉を最小に抑えておき得るが、譲るノードに対して遅延または中断をもたらし得る。従って、有限なリソースを有する環境で、多くの無線送受信機の管理における改良は、無線の動作設計において継続する目標である。
【発明の概要】
【０００７】
以下の記載は、そのような態様の基本的理解を提供するために１つ以上の態様の簡易化した概要を示す。この概要は、想定したすべての態様の広範な概観ではなく、また、すべての態様の鍵となるまたは決定的な要素を特定することも、いずれかのもしくはすべての態様の範囲を正確に述べることも意図されない。この唯一の目的は、後で述べるより詳細な説明への導入として、簡単な形で１つ以上の態様のいくつかの概念を述べることである。
【０００８】
主題の開示は無線通信環境内の無線ノード間のリソースを共有することに公正さをインプリメントすることを提供する。主題の開示のいくつかの態様において、このインプリメンテーションは無線ノードに対する１組のリソース共有クレジット（ｃｒｅｄｉｔ）を確立することを含む。クレジットを費やすことによって、あるノードは別のノードのリソースを借りて、借入れノードの動作を可能とするかまたは向上させ得る。借入れノードのクレジットはリソース消費の量に基づいて減少されるか、または貸出しノードのクレジットは消費量に基づいて増加されるか、またはその両方である。クレジットの量がいったん満了すると、十分なリソースがそのノードに関係づけられるクレジットの量を確立するために貸出されるまで、ノードは更なるリソースを借入れることができない。従って、この公正なインプリメンテーションは、あるノードが借入れ得るリソースの量とそのノードが貸出すリソースの量とを互いに関連させることによって、種々のノードに対する貸し借りの同じような分配を提供し得る。
【０００９】
主題の開示の他の１つ以上の態様において、リソース共有における公正さはネットワーク制御およびピアツーピアの環境の双方に対してインプリメントされる。ネットワーク環境において、無線ノードは、信頼できるネットワークエンティティに共有リソースに対する要求を提出し、貸出すために利用可能なリソースを通知し得る。ネットワークエンティティは、クレジットの蓄え（ｐｏｏｌ）が十分の場合はリソースの借入れを可能にし、また、共有リソースをそれぞれ貸出すまたは消費する無線ノードに対しクレジットの蓄えをそれぞれ増加または減少させて、特定のカバレッジエリア内の無線ノードに対するクレジットの量を管理し得る。ピアツーピア環境においては、個々の無線ノードはその無線ノードの安全なモジュール（例えば、耐タンパ性（ｔａｍｐｅｒ  ｒｅｓｉｓｔａｎｔ）内の共有クレジットの量を維持し更新し得る。一つの態様において、個々のノードは、貸出ノードに対してはクレジットを増加させ、借入ノードに対してはクレジットを減少させて、消費したリソースの個々の記録を維持し得る。他の態様において、信頼できる第三者（例えば、適切なセキュリティ鍵を参加ノードへ渡すネットワークノードまたは他の無線ノード）は、ピアツーピアデバイスに対するオーバヘッドを減少させおよび共有クレジットのセキュリティを潜在的に増加させて、ピアツーピアリソース共有のための共有クレジットを受信し、追跡することができる。
【００１０】
主題の開示の他の態様において、無線ネットワークにおけるリソースを共有する方法が提供される。この方法は、無線通信装置からのネットワークサービス要求を取得するための通信インタフェイスを使用することを含み得る。さらに、この方法は、無線装置のための共有リソース管理命令を実行するための１つ以上のデータプロセッサを使用することを含み得る。この命令はデータプロセッサに、ネットワークサービス要求を取得すると、その無線装置に対するクレジットの量を初期化させ、および無線装置が、リソースを異なる無線ノードと共有するかまたは異なる無線ノードによって共有されたリソースを用いる時には、クレジットの量を更新させ得る。
【００１１】
更に１つ以上の態様において、無線通信における共有リソースを容易にする装置が開示される。この装置はコード化された命令を実行するための１組のプロセッサを含み得る。コード化された命令はプロセッサに、無線通信装置からのネットワークサービス要求を取得させ、復号させる。さらに、装置はネットワークサービス要求に応じて無線装置に対するクレジットの量を初期化し、維持するアカウンティング（ａｃｃｏｕｎｔｉｎｇ）モジュールを含み得る。さらに、装置は、無線装置が第２の無線ノードとリソースを共有するか、または第２の無線ノードによって共有されたリソースを消費する場合、アカウンティングモジュールによって維持されるクレジットの量を更新する調停（ｍｅｄｉａｔｉｏｎ）モジュールを含み得る。
【００１２】
他の態様において、無線ネットワークにおけるリソースを共有することを容易にする装置が提供される。この装置は、無線通信装置からのネットワークサービス要求を取得するための有線または無線通信インタフェイスを使用するための手段を含み得る。さらに、ネットワークサービス要求を取得すると、装置は、無線装置のためのクレジットの量を初期化するための１つ以上のデータプロセッサを使用するための手段を含み得る。さらに、装置は、無線装置がリソースを異なる無線ノードと共有するかまたは異なる無線ノードによって共有されたリソースを使用する時には、クレジットの量の更新するためのプロセッサを使用するための手段を含み得る。
【００１３】
付加的な態様に従って、主題の開示は無線ネットワークにおけるリソースを共有することを容易にするように構成された少なくとも１つのプロセッサを提供する。プロセッサは無線通信装置からネットワークサービス要求を取得するための第１のモジュールを含み得る。さらに、ネットワークサービス要求を取得すると、プロセッサは無線装置のためのクレジットの量を初期化するための第２のモジュールを含み得る。さらに、プロセッサは、無線装置が異なる無線ノードとリソースを共有するかまたは異なる無線ノードによって共有されたリソースを使用する時には、クレジットの量を更新するための第３のモジュールを含み得る。
【００１４】
さらに他の態様に従って、主題の開示はコンピュータ読み取り可能な媒体を含むコンピュータプログラム製品を提供する。このコンピュータ読み取り可能な媒体は、コンピュータに、無線通信装置からのネットワークサービス要求を取得させるための第１の組のコードを含み得る。さらに、ネットワークサービス要求を取得すると、本コンピュータ読み取り可能な媒体は、コンピュータに、無線装置のためのクレジットの量を初期化させるための第２の組のコードを含み得る。さらに、コンピュータ読み取り可能な媒体は、無線装置が異なる無線ノードとリソースを共有するかまたは異なる無線ノードによって共有されたリソースを使用する時には、コンピュータに、クレジットの量を更新させるための第３の組のコードを含み得る。
【００１５】
主題の開示の他の態様において、無線通信環境における協調通信のための方法が提供される。この方法は、無線通信を送信または受信するために無線アクセス端末（ａｃｃｅｓｓ  ｔｅｒｍｉｎａｌ：ＡＴ）の無線インタフェイスを使用することを含み得る。さらに、方法は、異なる無線通信デバイスとリソースを共有することに関する規則を実行するために１組のデータプロセッサを使用することを含み得る。リソース共有に関する規則は、プロセッサに、無線通信デバイスから無線通信リソースを取得するためのまたは無線通信デバイスへ無線通信リソースを提供するための要求を管理させ、および共有リソースが、要求の結果として費やされる場合、無線共有クレジットのデータ記録の修正を容易にさせ得る。
【００１６】
付加的な態様において、無線通信環境において動作可能な装置が提供される。装置は無線データを送信または受信するための無線通信インタフェイスを含み得る。さらに、装置は無線通信信号を解析するための少なくとも１つのデータプロセッサを含み得る。さらに、装置は無線通信装置のリソースを利用する要求を開始するための、または装置のリソースを利用する要求を取得するための共有化モジュールを含み得る。また、装置は、装置によって消費されるかまたは提供されたリソースの追跡を容易にする調停モジュールを含み得る。
【００１７】
上記に加えて、主題の開示は無線通信環境における協調通信のための装置を提供する。この装置は、無線通信を送信または受信するための無線ＡＴの無線インタフェイスを使用するための手段を含み得る。さらに、装置は、装置と無線通信デバイス間で無線通信リソースを共有する要求を管理する１組のデータプロセッサを使用するための手段を含み得る。さらに、装置は、共有リソースが要求の結果として費やされる場合、無線共有クレジットのデータ記録の修正を容易にするための手段を含み得る。
【００１８】
さらに、他の態様に従って、無線通信環境における協調通信のために構成された少なくとも１つのプロセッサが開示される。プロセッサは、無線通信を送信または受信する第１のモジュールと、無線通信デバイスから無線通信リソースを取得するための、または無線通信デバイスへ無線通信リソースを提供するための要求を管理する第２のモジュールとを含み得る。さらに、プロセッサは共有リソースが、要求の結果として費やされる場合、無線共有クレジットのデータ記録の修正を容易にする第３のモジュールを含み得る。
【００１９】
さらに他の態様に従って、開示はコンピュータ読み取り可能な媒体を含むコンピュータプログラム製品を提供する。コンピュータ読み取り可能な媒体は、コンピュータに、無線通信信号を送信または受信させるための第１の組のコードを含み得る。コンピュータ読み取り可能な媒体は、コンピュータに、コンピュータと無線通信デバイス間で無線通信リソースを共有する要求を管理させる第２の組のコードをさらに含み得る。付加的に、コンピュータ読み取り可能な媒体は、コンピュータに、共有リソースが要求の結果として費やされる場合、無線共有クレジットのデータ記録の修正を容易にさせる第３の組のコードを含み得る。
【００２０】
上記および関連する目的の達成のために、１つ以上の態様が、以下に完全に記述され、かつ請求範囲で詳細に示される特徴を含む。以下の説明および添付図面は１つ以上の態様の特定の例示的態様を詳細に説明している。しかし、これらの態様は種々の態様の原理が使用され得る種々の方法のほんの僅かの例示であり、説明した態様はすべてのそのような態様およびそれらの均等物を含むことが意図されている。
【図面の簡単な説明】
【００２１】
【図１】図１は、主題の開示の態様に従う、無線ネットワークにおける公正なリソース共有を提供する一例の装置のブロック図を表す。
【図２】図２は、１つ以上の態様に従う、無線ノードリソース共有のネットワーク調停のための一例の装置のブロック図を例示する。
【図３】図３は、別の態様に従う、無線ネットワークにおけるピアツーピアリソース共有のための一例の装置のブロック図を表す。
【図４】図４は、少なくとも１つの態様に従うピア管理されたリソース共有およびネットワーク報告のための一例の装置のブロック図を表す。
【図５】図５は、無線ネットワークにおいてリソース共有を容易にする一例の基地局のブロック図。
【図６】図６は、主題の開示の態様に従う、公正なリソース共有をインプリメントするように構成された一例のユーザ端末のブロック図を表す。
【図７】図７は、１つ以上の態様に従う、無線環境における公正なリソース共有を実施するための一例の方法のフローチャートを表す。
【図８】図８は、いくつかの態様に従う、選ばれた無線ノードに対するリソース共有の利用可能性を決定するための一例の方法のフローチャートを例示する。
【図９】図９は、さらに別の態様に従う、無線ノード間の公正なリソース共有を容易にするための一例の方法のフローチャートを表す。
【図１０】図１０は、無線ネットワークにおいてピアツーピアリソース共有を実施するための一例の方法のフローチャートを表す。
【図１１】図１１は、公正なリソース共有をインプリメントするための一例の装置のブロック図を表す。
【図１２】図１２は、公正なリソース共有を容易にするための一例の装置のブロック図を表す。
【図１３】図１３は、リモートデバイス間の無線通信を提供する一例の装置のブロック図を例示する。
【図１４】図１４は、主題の開示の態様に従う、一例の移動通信環境のブロック図を表す。
【図１５】図１５は。主題の開示の、少なくとも１つの態様に従う一例のセルラ通信環境のブロック図を例示する。
【発明を実施するための形態】
【００２２】
種々の態様は、同じ参照番号が全体にわたり同じ要素を参照するために用いられる図面を参照して説明される。以下の説明において、説明のため、１つ以上の態様の完全な理解を与えるために多くの特定の詳細を記述する。しかし、そのような態様がこれらの特定の詳細なしで実施され得ることは明白であり得る。他の場合には、周知の構造およびデバイスは、１つ以上の態様についての説明を容易にするためにブロック図の形で示される。
【００２３】
さらに、開示の種々態様を以下に説明する。ここの教示が多様な形式で具体化され得ること、ここに開示されるいかなる特定の構造および／または機能も、単に代表であることが、明白であるべきである。これらの教示に基づいて、当業者は、ここに開示されたある態様はいかなる他の態様とも独立して実施され得ること、および２つ以上のこれらの態様は種々の方法で結合され得ることを認識するべきである。例えば、ここに記載した多くの態様を用いて、ある装置は実施され得る、および／または、ある方法は実行され得る。さらに、ここに記載した１つ以上の態様に加えてまたはそれ以外の他の構造および／または機能を用いて、ある装置は実施され得る、および／または、ある方法は実行され得る。一例として、ここに説明した方法、デバイス、システム、および装置の多くは無線ネットワークにおける無線ノードの間でリソースを共有することにおいて公正さを提供する文脈で説明されている。当業者は、同様の手法が他の通信環境に適用可能であろうことを認識するべきである。
【００２４】
無線通信において、種々のメカニズムは、有限な組の無線リソースを複数の参加無線ノードへ分配するために存在する。例えば、直交周波数分割多元接続（ＯＦＤＭＡ）は、異なる周波数サブキャリアを個々のユーザのトラヒックに割当てることにより干渉を減少させながら、複数のユーザが同時にトラヒックを送信することを可能にする。同様に、符号分割多元接続（ＣＤＭＡ）は、直交符号を使用し、複数の送信間の干渉を減少させながら、複数のデバイスからの同時送信を可能にする。直交周波数分割多元（ＯＦＤＭ）システム、時分割多元接続（ＴＤＭＡ）システム、またはその他の他のシステムは異なるメカニズムを使用して、複数のユーザ端末（ｕｓｅｒ  ｔｅｒｍｉｎａｌ：ＵＴ）間の干渉を減少させながら、複数のＵＴが、有限な組の無線チャンネルリソースを使用することを可能にする。
【００２５】
上記に加えて、複数のアクセスシステムは、有限なチャンネルリソースの共有を可能とする付加的な手法を使用し得る。例えば、１組のノードは、別の組のノードに対する干渉を減少させるために、低下させた電力で送信するように命令され得る。種々のノードの送信電力間の調停は、例えば個々のノードのトラヒックフローに基づいて、実行され得る。高品質のトラヒック、または高感度のトラヒックなどはより低い品質／感度のトラヒックよりも高い優先度が与えられ得る。そのような方法においては、送信電力リソースはトラヒックの優先度に基づいて個々の無線ノードに割当てられる。これは、より高い優先度トラヒックを、より信頼性を高くすることができるが、それは低優先度トラヒックの性能を劣化させ得る。優先度に基づくリソースの割当は、いくつかの環境においては許容可能であり得るが、多くの環境（例えば、複数の高品質トラヒックストリーム）においては競合が発生し得る。従って、リソースの分配は未だ１つ以上のノードに対する問題であり得る。
【００２６】
上記に加えて、高度無線システム（例えば、第三世代パートナーシッププロジェクトの長期発展［ｔｈｉｒｄ  ｇｅｎｅｒａｔｉｏｎ  ｐａｒｔｎｅｒｓｈｉｐ  ｐｒｏｊｅｃｔ  ｌｏｎｇ  ｔｅｒｍ  ｅｖｏｌｕｔｉｏｎ：３ＧＰＰ−ＬＴＥ、またはＬＴＥ］、ピアツーピア無線通信システム、仮想多入力多出力［ＭＩＭＯ］システム）、または新世代無線システムは、有限なチャンネルリソース、ネットワークリソース、またはノードリソース（例えば、メモリ、処理能力、ライセンス、制約付きアプリケーション、共有アプリケーション等）に関するユーザ協調を予め考慮する。リソースを組合せることによって、無線ノードは無線通信において付加的効率または有効性を実現し得る。さらに、典型的なノードはしばしば不動作または低動作状態―音声またはデータトラヒック通信に能動的に関わっていない状態―にかなりの時間を費やしているため、所与の時点で動作しているノードによってリソースがより完全に利用されることは実現可能である。
【００２７】
一般的な意味では、協調は、周波数、タイムスロット、符号、シンボル、または送信電力のような無線チャンネルリソースのネットワークまたはピア管理の共有を指し得る。他の態様において、協調はネットワークが割当てたリソースを他のノードに譲る（例えば、ネットワーク割当の帯域幅を別のノードと共有する）無線ノードを含み得る。さらに、他の態様において、協調はピアツーピア通信（例えば２つのＵＴ間の直接通信）においてチャンネルまたは物理リソースの共有を含み得る。ピアツーピア環境において、チャンネルリソースは仮想ＭＩＭＯ型構成（例えばＵＴがマルチアンテナ利得を得るためにトラヒック信号の多数反復の送信または受信を支援する）における協調送信もしくは受信、または無線中継器として別のノードの通信にサービスすること、またはその他を含み得る。他方、物理的リソースは、物理的無線デバイスの記憶空間、プロセッササイクル等を含み得る。
【００２８】
協調システムの１つのクラスは、ノードが、将来他のリソースの公正な返却を受けることを予測して他のノードへリソースを提供するシステムを含む。しかし、リソースが無計画に共有されるところでは、リソースの不公正分配につながる１つのノードが他よりはるかに大きい量のリソースを使用することが可能である。多くのノード（例えば、携帯電話）が加入サービスに関係しているため、ユーザは貸出したリソースに比例して共有リソースを受け取ることを要望し得る。従って、公正なシステムは、リソース共有をいくつかのユーザに、より受け入れ可能にし得る。
【００２９】
共有リソースに関するいくつかの問題に対処するために、主題の開示は無線ネットワーク内の無線ノード間のリソース共有を統制するための１組の規則（例えばプロトコル）を提供する。いくつかの態様において、ノードは、別のノードを援助するためにリソースを放棄することを講じる場合、報酬を与えられ得る。他の態様において、ノードは、共有リソースを与えることを拒否することに対してペナルティーを課され得る。さらに、他の態様において、上記規則の組合せが実施され得る。
【００３０】
無線関連のリソースの共有を統制するための１組の規則の一例は、他の無線デバイスと共有されるリソースに基づく共有クレジットの割当を含み得る。ここに利用されるように、共有するクレジットは他の無線ノードからの協調を得るための必須のものである。クレジットの量は、消費が許されている共有リソースの量と、そのようなリソースの共有と消費における相対的平等を容易にするために、互いに関連され得る。したがって、特定の一例として、クレジットはモバイルの分（ｍｏｂｉｌｅ ｍｉｎｕｔｅ）の数と互いに関連され得る。モバイルの６０分のクレジットを有する無線ノードは、すべてのクレジットを費やす前に、他の無線ノードから全部で６０分間の協調（例えば共有リソースの消費）を要求できるだろう。したがって、第１のモバイルのリソースは１０分間利用され、第２のモバイルのリソースは５０分間利用され、または６０分のモバイルの６０分の他の適当な組合せで利用され得る。共有リソースを提供するノードは、共有された協調の各分ごと（または、いくつかにおいてはそれらの端数）のモバイルの分のクレジットを獲得し得る。その時間内にリソースは受信側ノードによって消費される。上記の例を拡張するために、モバイルは、共有リソースを第１の無線ノードに１０分間、第２の無線ノードに９０分間、または１００分の他の適切な組合せで提供することにより、モバイルの１００分を累算し得るだろう。しかし、主題の開示がこの詳細な例に範囲として限定されないことが認識されるべきである。
【００３１】
主題の開示のさらなる態様に従って、ノードはネットワークに入るときに、クレジットの数が与えられ得る。いくつかの態様において、クレジットの数は入ってくるすべてのノードに共通の固定数であり得る。他の態様において、クレジットの数は１つ以上の要素に基づいて可変であり得る。適切な要素は加入プランの階層レベル（例えばより高価または最高級プランはより多くの初期クレジットに関係づけられ得る）、ネットワークにおける過去のモバイル協調の程度、またはその他を含み得る。ネットワーク内の各ノードに対するクレジットの記録は、協調通信の後に、信頼できる公平なエンティティまたは複数のエンティティによって維持され更新され得る。例えば、ネットワークサーバは共有クレジットの公平な記録を容易にするために使用され得る。他の実施例（例えば、ピアツーピア環境）において、無線ノードは、そのノードを含む協調通信に基づいて共有クレジットの記録を維持し更新し得る。少なくとも１つの態様において、無線ノードはタンパリングを防ぐためのセキュリティの備えを有し、実際の協調通信に対して共有クレジットの相互に関連する量に信頼性を与える。さらに他の例において、適切な（例えばタンパリングを防ぐための）セキュリティーモジュールを有する無線ノードは、周囲のノードにクレジット管理を提供し得る。しかし、主題の開示の範囲内で他の例が可能である。
【００３２】
主題の開示のいくつかの態様に従って、特定の環境における個々のリソースに対する利用可能性または要求に基づいて、異なるリソースは対応する異なるクレジット値を有し得る。従って、例えば、帯域幅が不十分である場合、共有帯域幅は、結果として、共有帯域幅を消費する際に支払われるクレジットの量の割り増し費用となり得る。逆にネットワーク負荷が軽い場合、共有帯域幅には標準的料金、または割引料金さえあり得る。
【００３３】
無線ノードの間でリソースを共有する際の公正さを提供するプロトコルは、不均衡なリソースの貸し借りを防ぐことに役立つ。例えば、他のノードから利益を得る（例えば、リソースを借入れる）ことと、代わりに利益を提供すること（例えば、リソースの貸出し、より高い料金の支払い等）との間に何らかの相互関係が無いと、個々のノード（およびそれらのユーザ）は無線リソースの共有に参加することをあきらめるかもしれない。従って、リソース共有における公正さのためのいくつかのプロトコルを用意することは、協調環境に参加することの利益を大きし、参加への後押しに役立ち得る。
【００３４】
上記に加えて、特定の状況に基づいて特定の問題が協調環境に発生し得る。例えば、低電池電力の移動デバイスのユーザは、移動デバイスが定電力源に差し込まれ得るまで、共有リソースに参加しないこと（または、例えば移動デバイスのバッテリ寿命に影響するリソースを共有しないこと）を望むかもしれない。別の例として、ユーザが、広帯域幅または高サービス品質（ｑｕａｌｉｔｙ  ｏｆ  ｓｅｒｖｉｃｅ：ＱｏＳ）を要求する重要な電話の呼を予期しているかまたは話中である場合、そのユーザは他のモバイルとリソースを共有しているその呼の性能を低下させないこと、および広帯域幅／高ＱｏＳの呼に適用可能なリソースを減少させないこと、を望むかもしれない。従って、主題の開示の少なくともいくつかの態様において、リソース共有はユーザによって動作可能、または動作不能にされ得る。例えば、移動デバイスで維持されるユーザフラグは、共有動作、共有不動作、またはその他に設定され得る。共有リソースを承認するに先立ち、ネットワークまたはデバイスはユーザフラグの状態をチェックし、決定し得る。その状態は、リソースを共有する条件となる。したがって、主題の開示の少なくともいくつかの態様において、デバイスユーザは、特定の要求および状況に適応するために共有プロトコルを無効にし得る。用語ユーザフラグ（または、代替的にユーザリソースフラグ、ユーザ認証フラグなどと呼ばれる）は、ここに用いられると、ユーザ端末によって、またはネットワークユーザアカウント上で、またはその双方で維持される、リソース共有を動作可能または動作不能にし得る設定をいう。いくつかの態様において、ユーザフラグは、共有が動作可能もしくは動作不能にされる特定のリソース、特定の相手側ノード、特定の回数、協調通信の特定の形式、またはその他を特定して、選択的にリソース共有を動作可能または動作不能にし得る。
【００３５】
図面を参照して、図１に、無線通信において公正なリソース共有を容易にするための例示的システム１００のブロック図を示す。システム１００は、無線通信装置１０２を含み得る。無線通信装置１０２は、例えばアクセス端末、基地局、任意の異なる形式のデバイス、およびその他のような実質的に任意の形式の無線通信デバイスであり得る。さらに、無線通信装置１０２は１つ以上の異なる無線通信装置（図示しないが図２および図４を見よ）と相互に通信し得る。例えば、無線通信装置１０２は異なる無線通信装置と交信またはデータ交換、異なる無線通信装置とのリソースの共有、その他をなし得る。さらに、無線通信装置１０２がネットワーク内のノードであり得ることが認識されるべきである。
【００３６】
新世代無線システムは、容量およびエネルギー効率を向上させるためにユーザ協調の使用を予見する。協調システムの１つの重要なクラスは、ノード（例えば無線装置、・・・）が、他のリソースの公正な返還を受けることを予測して、要求される場合または有益な場合に、他のノードへそれらのリソースを提供するシステムを含む。協調システムは総合的な見地からリソースのより効率的な使用をし得るが、協調を実行可能にする要素は、ユーザがそれらの貢献に比例して利益を受けることを保証することである。
【００３７】
無線通信装置１０２は任意の数のリソース１０４（例えば、リソース１、リソース２、・・・、リソースＮ、ここでＮは実質的に任意の正の整数でなければならない）を含み得る。リソース１０４は、または無線信号のネットワークが割当てたタイムスロット、周波数帯域幅、ＯＦＤＭシンボル、ＣＤＭＡ符号、電力（例えば、送信電力、バッテリ電力）、プロセッササイクル、接続性（例えば、接続期間）、ライセンス（例えば、ライセンスを受けたネットワークまたは第三者アプリケーション）、記憶装置（例えば、メモリ、・・・）、入力、出力、その他を含み得る。しかし、特許請求の対象は上記のリソースの例に限定されない。さらに、リソース１０４は、無線通信装置１０２によって（例えば第２の無線通信装置へデータを送信、および／またはそこからデータを受信し、データを処理し、命令を実施し、データを格納し、データを収集し、データを出力、・・・するために）使用され、借入れたリソース１０４を用い得る第３の無線通信装置（例えば、ここで、無線通信装置１０２および第２もしくは第３の無線通信装置が仮想マルチアンテナ構成を含み、または無線通信装置１０２が通信手段もしくはリソース中継器として第３の無線通信装置のために動作する）などと共有され得る。
【００３８】
さらに、無線通信装置１０２は共有化モジュール１０６、１組のデータプロセッサ１０８、および調停モジュール１１０を含み得る。データプロセッサ１０８は１つ以上の異なる無線通信装置の無線信号を解析するために利用され得る。そのような解析は、通信信号、リソース共有のための要求、またはその他の復号を容易にし得る。
【００３９】
無線通信装置１０２と異なる無線通信装置と間の協調通信を容易するために、共有化モジュール１０６は、異なる無線通信装置のリソースを利用するための要求を開始し、または無線通信装置１０２のリソース１０４の使用のための要求（プロセッサ１０８によって復号されたそのような要求）を取得し得る。異なる無線通信装置のそのような要求に応答して、共有化モジュール１０６は、１つ以上のリソース１０４をそのような異なる装置による使用のために利用可能にし得る。例えば、共有化モジュール１０６は、他の無線装置に対し、利用可能にするリソース１０４の一部、またはリソース１０４を利用可能にするための時間の一部、を選択するためにユーザ入力を取得し得る。更なる例示として、共有化モジュール１０６は、リソース１０４を借入れることが許可された異なる無線通信装置の一部の識別情報に関連するユーザ入力を収集し得る。代替的に、または付加的に、共有化モジュール１０６は、リソース１０４が異なる無線通信装置によって借りられ得るかどうか、またはどのリソース１０４が異なる無線通信装置によって借りられ得るかを決定する際に、無線通信装置１０２によって（例えば図示しないメモリ内に）維持されるユーザフラグの状態をチェックし得る。
【００４０】
上記に加えて、（例えば、異なる無線通信装置の識別、時間、リソース形式、リソースの利用可能性、リソースの消化、要求、無線通信装置１０２による利用度、使用履歴の傾向データ、・・・の関数として）異なる無線通信装置による使用のためにリソースを選択的に利用可能にすることと共に（ユーザ入力の使用に加えてまたはその代わりに）種々のプリセットされた基準が共有化モジュール１０６によって用いられ得ることが認識されるべきである。別の例示に従って、共有化モジュール１０６は、リソースの利用可能性に関して異なる無線通信装置に通知し得る。（例えば、そのような通知は、近隣のすべての無線通信装置に自動的に送られ得る、または対応するリソース１０４の利用可能性に関して無線通信装置１０２によって自動的に更新されるとして加入する無線通信装置へ自動的に送信され得る、または共有化モジュール１０６が異なる無線通信装置からの要求を受信する時に転送され得る、またはネットワーク管理されたリソース共有を提供するネットワークへアップロードされ得る、・・・）。
【００４１】
上記に加えて、共有化モジュール１０６は、１つの異なる無線通信装置（または、１つ以上の異なる無線通信装置）と、異なる無線通信装置によって共有されたリソースを利用するために、協調し得る。したがって、無線通信装置１０２がリソース１０４に加えてまたはそれ以外にリソースを必要とするか、または、それから利益を得ることができる場合、共有化モジュール１０６は、異なる無線通信装置の異なる共有化モジュール（例えばリソース貸し手）によって利用可能にされたリソースを活用し得る。一例として、無線通信装置１０２が電池電力の減ったアクセス端末である場合、そのアクセス端末はタスクを実施するためにネットワーク内の協調アクセス端末から電力を借り得る。（例えば、協調アクセス端末が無線通信装置１０２に代わってトラヒック通信を実行する）。しかし、請求された主題がそのように限定されないことが認識されるべきである。
【００４２】
さらに、無線通信装置１０２は、無線通信装置１０２によって消費されるか、または提供されるリソースの追跡を容易にする調停モジュール１１０を含み得る。そのような追跡を実施するために、調停モジュール１１０は、リソースの上述の貸し借りに関連する公正さを確実にし得る１組の規則（例えば、プロトコル、・・・）を実施し得る。この組の規則は、他のノードの情報の伝達を支援するためにそのリソース（例えば、帯域幅、電力、処理、メモリ、入力および／または出力能力、ライセンス、接続性、・・・）を与えるノード（例えば、無線通信装置１０２、異なる無線通信装置、・・・）に報酬を与えるか、または協調を拒否するノードにペナルティーを課すかいずれかをなし得る。別の例に従って、調停モジュール１１０で活用されるこの組の規則は、リソースを貸出すノードに報酬を与えること、およびリソースを貸出すことを拒否するノードにペナルティーを課すことの双方を主張し得る。
【００４３】
調停モジュール１１０は無線通信装置１０２に対応するクレジットを追跡し得る。例えば、無線通信装置１０２は、リソース１０４が異なる無線通信装置に貸出されると、クレジットを獲得し得る。さらに、無線通信装置１０２は、異なる無線通信装置のリソースを（例えば、リソースの借り手１１０・・・を利用して）借りる場合、クレジットを消費し得る。したがって、異なる無線通信装置のリソースが活用されるとき、調停モジュール１１０は無線通信装置１０２に関係づけられたクレジットの量を差し引き得る。または無線通信装置１０２のリソースが異なる無線通信装置によって活用されるとき、調停モジュール１１０は、無線通信装置１０２に関係づけられたクレジットの量を増加させ得る。
【００４４】
主題の開示のいくつかの態様において、クレジットは他のノードからの協調を得るための許可（例えば、必需品）のようなものであり得る。ノード（１０２）は、ここに説明したように、協調を与えることによってクレジットを獲得し得る。さらに、ノード（１０２）は、ここに説明したように、異なる無線装置から協調を受けることによって、クレジットを費やし得る。
【００４５】
主題の開示の、さらに別の態様に従って、無線通信装置１０２がネットワークに入る場合、そのネットワークは無線通信装置１０２が使用するクレジットの数を割当て得る。例示として、ネットワークにエントリーしたときに無線通信装置１０２に割当てられたクレジットの数は、加入レベル、クレジットの履歴、共有の履歴、または他の適切な要素に依存し得る。
【００４６】
ネットワーク管理された共有環境において、無線通信装置１０２およびネットワークによってサービスされる他の無線ノードに対するクレジットの記録は、信頼性のある公平なエンティティによって維持され得る。（このエンティティは例えば、ネットワークデータベースに加えてまたはネットワークデータベースの代わりに調停モジュール１１０を含み得る。）例えば、協調モバイルを備える従来のセルラシステムにおいては、基地局は、各ユーザ端末のクレジットの記録を保持し、各協調的呼の後にクレジットを更新し得る。ノードは、この情報へのタンパリングが動作不能であれば、ローカルに（例えば、調停モジュール１１０において）それ自身のクレジットの記録を保持し得る。
【００４７】
次に、図２を参照して、協調無線システム内のノードのクレジットの集中化した記録を維持し得るシステム２００を例示する。システム２００は無線通信装置Ａ２０２および無線通信装置Ｂ２０４を含む。（それらの各々は、例えば図１の無線通信装置１０２に実質的に類似し得る）。さらに、システム２００は公平な無線通信装置Ｃ２０６を含み得る。一例に従って、無線通信装置２０２−２０４はそれぞれアクセス端末であり得る。また、公平な無線通信装置Ｃ２０６は基地局であり得る。しかし、主題の開示および特許請求の対象はそのように制限されないことが認識されるべきである。さらに、図２に示すこの例は２つの無線通信装置２０２−４０４と１つの公平な無線通信装置Ｃ２０６を示すが、システム２００が無線通信装置２０２−４０４と同様の任意の適切な数の無線通信装置、または公平な無線通信装置Ｃ２０６と同様の任意の適切な数の公平な無線通信装置をサポートし得ることが認識されるべきである。
【００４８】
無線通信装置Ａ２０２は（（図示しない）任意の数の個々のリソースと同様に）共有化モジュール２０８および調停モジュール２１０をさらに含み得る。また無線通信装置Ｂ２０４は（（図示しない）任意の数の個々のリソースと同様に）共有化モジュールＢ２１２、および調停モジュールＢ２１４をさらに含み得る。共有化モジュールＡ２０８および共有化モジュールＢ２１２はそれぞれ図１の共有化モジュール１０６に実質的に類似し得る。また、調停モジュールＡ２１０および調停モジュールＢ２１４はそれぞれ図１の調停モジュール１１０に実質的に類似し得ることが認識されるべきである。さらに、公平な無線通信装置Ｃ２０６は図１のアカウンティングモジュール１０６および調停モジュール１１０に、いくつかの態様において実質的にそれぞれ類似し得るアカウンティングモジュール２１６および調停モジュール２１８を含み得る。他の態様において、アカウンティングモジュール２１６および調停モジュール２１８は、以下に記述するように、無線ネットワークの無線ノード（２０２、２０４）に対するリソース共有を管理するように構成され得る。
【００４９】
複数の無線通信装置２０２はそれらの間でリソースを共有し得る。したがって、例えば無線通信装置Ａ２０２の共有化モジュールＡ２０８は１つ以上のリソースを、無線通信装置Ｂ２０４の共有化モジュールＢ２１２による使用のために利用可能にし得る。逆もまた同様である。さらに、無線通信装置Ｂ２０４の共有化モジュールＢ２１２は無線通信装置Ａ２０２によって利用可能にされたリソースの少なくとも１つを用い得る。図示していないが、無線通信装置Ａ２０２または無線通信装置Ｂ２０４は、任意の異なる無線通信装置（図示しない）とリソースの貸出しまたは借入れをし得る。
【００５０】
一例において、無線通信装置Ａ２０２または無線通信装置Ｂ２０４にリソースを貸出すことは、（例えば調停モジュールＡ２１０または調停モジュールＢ２１６によってそれぞれ維持されるように）それぞれの無線通信装置２０２、２０４が費やすに十分な量の利用可能なクレジットの量を有している限り、実施され得る。例えば、無線通信装置Ａ２０２のリソースが無線通信装置Ｂ２０４によって借りられると、無線通信装置Ａ２０２に関係づけられたクレジットの量は調停モジュールＡ２１０によって増加され、一方無線通信装置Ｂ２０４に関係づけられたクレジットの量は調停モジュールＢ２１４によって減少され得る。さらに、各無線通信装置２０２−２０４のクレジットの記録は公平な無線通信装置Ｃ２０６の調停モジュール２１８によって維持され得る。例えば、公平な無線通信装置Ｃ２０６は基地局であり得る。従って、クレジットの記録はその基地局によって管理され得る。しかし、主題の開示および特許請求の対象はそのように限定されない（例えば、公平な無線通信装置Ｃ２０６は公平な第三者アクセス端末・・・のようなネットワーク内の任意の異なるノードであり得る）。例示的な例に従って、クレジットの記録は共通の場所に管理され無線通信装置２０２−４０４の間の各協調的なコールの後に更新され得る。
【００５１】
別の実施例に従って、公平な無線通信装置Ｃ２０６はネットワーク管理されたリソース共有を提供し得る。そのような例において、アカウンティングモジュール２１６は、無線通信装置Ａ２０２に対するクレジットの記録および無線通信装置Ｂ２０４に対するクレジットの記録を初期化し、維持し得る。例えば、初期化は、各無線通信装置２０２、２０４に割当てられたクレジットの現在の量を記録するために、個々の無線通信装置２０２、２０４にそれぞれのメモリを割当てることを含み得る。さらに、調停モジュール２１８は、無線通信装置Ａ２０２と無線通信装置Ｂ２０４との間の共有リソースに基づいて、（例えば、共有リソースを提供する装置に対してクレジットを増加することにより、または、共有リソースを消費する装置に対してクレジットを減少することにより）クレジットのそれぞれの量を更新し得る。
【００５２】
さらに、共有化モジュール２０８、２１２が、リソースを異なる無線通信装置へ貸出すための要求を取得すると、要求している異なる無線通信装置がその対応するアカウントに十分なクレジットを有するかどうかを決定するために、公平な無線通信装置Ｃ２０６のアカウンティングモジュール２１６に質問し得る。この質問に基づいて、共有化モジュール２０８、２１２は貸し出し要求を受け入れるかまたは拒否し得る。
【００５３】
図３を参照して、協調ピアツーピアリソース共有環境のためのクレジットを使用するシステム３００を例示する。システム３００はここに説明するような（例えば共有化モジュールＡ３０６をさらに含む）無線通信システムＡ３０２、および（例えば共有化モジュールＢ３１０をさらに含む）無線通信システムＢ３０４を含む。さらに無線通信装置Ａ３０２は調停モジュールＡ３０８を含み、また無線通信装置Ｂ４０４は調停モジュールＢ３１２を含み得る。
【００５４】
リソース共有に参加する複数の無線ノードのために、公平な無線通信装置における共通に維持されたクレジットの記録を使用し得る図２のシステム２００とは対照的に、システム３００は各無線通信装置３０２、３０４に対するローカルに管理されたクレジットの記録を使用し得る。無線通信装置３０２−３０４のそれぞれの調停モジュール３０２−３０４は、１つの装置（３０２、３０４）におけるクレジットの記録を保有し得るか、またはそれらのそれぞれのクレジットをローカルに（例えば、それぞれの調停モジュール３０８、３１２に）保持し得る。
【００５５】
さらに、各調停モジュール３０８−３１２は、そのようなクレジット記録をタンパリングすることを緩和するためのそれぞれのメカニズムを含み得る。そのようなメカニズムはそれぞれの調停部品３０８、３１２によって使用される安全なメモリおよび安全な処理を含み得る。いくつかの例は、暗号化されたメモリおよび処理と、暗号化鍵を格納するハード符号化されたメモリであってそのような鍵が（図示しない）メモリに格納されたクレジットのそれぞれの量を符号化するために用いられるメモリ、クレジットのアカウンティングおよび更新のためのハード符号化された規則であってそれぞれの無線通信装置３０２、３０４の他の操作へのアクセスを提供しない規則、またはその他を含み得る。
【００５６】
図４に無線通信環境におけるリソース共有を容易にする例のシステム４００のブロック図を示す。システム４００は、無線通信装置４０４と通信的に接続されたアクセス端末（ＡＴ）４０２を含み得る。さらに、ＡＴ４０２は、無線通信ネットワーク（図示せず）の基地局４０６との無線通信リンクを維持し得る。主題の開示の少なくともいくつかの態様において、ＡＴ４０２が図１の無線通信装置１０２に実質的に類似し得ることが認識されるべきである。さらに、そのような態様において、無線通信装置４０４は図２の無線通信装置Ｂ２０４に実質的に類似し得る。さらに、そのような態様において、基地局４０６が、図２の公平な無線通信装置２０６に実質的に類似し得ることが認識されるべきである。
【００５７】
図示されるように、ＡＴ４０２はリソースのアカウンティングおよび調停装置４０８（装置４０８）を含み得る。そのような装置４０８はＡＴ４０２と無線通信装置４０４の間のリソース共有を容易にし得る。例えば、装置４０８は、共有に利用可能なリソースを特定するために１つ以上の無線通信デバイス（４０４、４０６）と交信し得る。さらに、装置４０８は、協調通信における他の無線通信デバイス（４０４、４０６）による消費に利用可能なＡＴ４０２のリソースを特定し得る。さらに上記に加えて、装置４０８は、協調通信におけるＡＴ４０２によって消費または提供されるリソースを記録、およびその消費された／提供されたリソースに対応するクレジットの記録を維持し得る。一例として、ＡＴ４０２に関係づけられたクレジットを増加および減少させることによって、装置４０８は協調通信の公正さを提供するために、共有リソースの消費と共有リソースの供給を相互に関連させ得る。
【００５８】
装置４０８は、ＡＴ４０２と、異なるピアデバイス（例えば別のＡＴ）との間の直接通信（または、例えば無線リピータまたは中継器を用いる間接的通信）を支援するためのピアツーピア通信モジュール４１０を含み得る。したがって、主題の開示のいくつかの態様において、無線通信装置４０４は第２のＡＴ、無線インタフェイスを含むコンピュータもしくはラップトップコンピュータ、携帯電話、または他の適切なユーザデバイスであり得る。ピアツーピアモジュール４１０は、ピアツーピア通信を支援するためのアップリンクチャンネル（すなわち順方向リンク）またはダウンリンクチャンネル（すなわち逆方向リンク）のいずれかまたは両方で、無線通信装置４０４を用いてデータを送信または受信することを容易にし得る。少なくとも１つの態様において、ピアツーピア通信モジュール４１０は、無線通信装置４０４とのデータ交換を容易にするために、基地局４０６によって放送される共通参照信号（例えば、タイミング信号）を使用し得る。
【００５９】
上記に加えて、装置４０８は、無線通信装置４０４のリソースを利用するための要求を提出するアクセスモジュール４１２を含み得る。この要求は、音声もしくはデータ通信、ネットワークリソースの使用、またはアプリケーションもしくはサービス、またはその他のようなＡＴ４０２によって実行されるタスクに関連し得る。いくつかの態様において、アクセスモジュール４１２によって提出される要求は、ＡＴ４０２の利用可能リソースと比較したこのタスクに関係するリソース要求に基づき得る。（この比較は、例えば、ＡＴ４０２のローカルなまたはＡＴ４０２に割当てられたリソース対そのタスクに必要なまたは最適なリソースである）。少なくとも一態様にしたがって、この要求は、リソース共有が許可されているかどうか、（例えばリソース要求と比較して）どのリソースが共有され得るか、何時リソースが共有され得るか、またはどの特定のデバイスと協調通信が実施され得るかを示す、判定モジュール４１６によって維持されたユーザフラグの状態を条件とされ得る。
【００６０】
さらに上記に加えて、装置４０８は、協調通信のための無線通信装置によってＡＴ４０２に提供されるリソースを管理するリソース管理モジュール４１４を含み得る。リソース管理モジュール４１４は、例えば共有に利用可能な無線通信装置４０４の特定のリソースを特定し得る。そのような特定は、ピア支援され得る（例えば、無線通信装置４０４によるピアツーピアを介したＡＴ４０２へのメッセージで送られる）か、またはネットワーク支援され得る（例えば無線通信装置４０４によって基地局４０６へアップロードされ、および基地局４０６によってＡＴ４０２へダウンロードされる）。付加的に、リソース管理モジュール４１４は、ＡＴ４０２によって管理されるタスクを実行するかまたは拡張するために、無線通信装置４０４によって提供されるリソースを取得するかまたは確保し得る。いくつかの態様において、このリソースの確保は、無線通信装置４０４に格納されるユーザフラグ、判定モジュール４１６によって維持されるユーザフラグ、またはその他の状態次第で、ＡＴ４０２に関係づけられたリソース共有クレジットの数によって制限され得る。ここに説明するように、共有リソースの記録は、ＡＴ４０２によって（例えば調停モジュールによって）共有リソースの消費または供給に関係する共有クレジットと共に、ＡＴ４０２によって維持され得る。
【００６１】
主題の開示の少なくとも１つの態様において、装置４０８は、報告モジュール４１８をさらに含み得る。報告モジュール４１８はＡＴ４０２と無線通信装置４０４との間の協調通信で利用される共有リソースの報告４２０を発行し得る。例えば、報告４２０は、どのようなリソースが交換されたか、そのような交換リソースの程度または量、いつ交換が発生したか、どのようなタスクがリソースを消費することに関わったか、またはその他を特定し得る。さらに、報告４２０は、提供するまたは消費するデバイス４０２、４０４へのそれぞれ加算または減算されるクレジットの量を特定し得る。この報告４２０は、ネットワーク管理されたリソース共有、または共有リソースのネットワーク追跡、またはその他を容易にするために、報告モジュール４１８によって基地局４０６へ送信され得る。特定の一例として、報告４２０は、将来のネットワークエントリー時に特定のデバイス４０２、４０４に対するクレジットの量を初期化するために、どのリソースが共有／消費されるかなどの、協調通信の共有された／消費されたリソース、度合いまたは周波数のネットワーク追跡を容易にし得る。
【００６２】
図５に主題の開示の態様に従う例示的システム５００のブロック図を示す。詳細には、システム５００は、協調無線通信においてリソース共有を容易にするために構築された基地局５０２を含み得る。例えば、基地局５０２は、基地局５０２によってサービスされるカバレッジエリアの近くまたはその中にある１つ以上のＡＴ５０４からリソース利用可能性を取得するように構成され得る。さらに、基地局５０２は、協調通信の開始、リソースの消費または供給の追跡、リソース共有クレジットの割当ておよび更新、およびその他によりＡＴ５０４に対するリソースを調停することを支援し得る。さらに、基地局５０２は、加入情報、ユーザ設定、またはその他を共有リソースの実施の条件とし得る。
【００６３】
基地局５０２（例えば、アクセスポイント、・・・）は、１つ以上の受信アンテナ５０６を通じて１つ以上のＡＴ５０４から無線信号を取得する受信機５１０、および、変調器５２８によって出力された符号化／変調無線信号を送信アンテナ５０８を通じて１つ以上のＡＴ５０４へ送信する送信機５３０を含み得る。受信機５１０は受信アンテナ５０６から情報を入力し得る。また受信機５１０はＡＴ５０４によって送信されたアップリンクデータを受信する信号受信者（図示せず）をさらに含み得る。付加的に、受信機５１０は受信情報を復調する復調器５１２に動作的に接続される。復調したシンボルは通信プロセッサ５１４によって解析される。通信プロセッサ５１４は、基地局５０２によって提供されるかまたは実施される機能に関係する情報を格納するメモリ５１６に接続される。一例において、格納された情報は、無線信号を解析するための、および１つ以上のＵＴ５０４のネットワークサービス要求の取得および復号のための規則またはプロトコルを含み得る。
【００６４】
上記に加えて、基地局５０２はサービス要求に応答して個々のＡＴ５０４に対するクレジットの量を初期化し維持するアカウンティングモジュール５１８を使用し得る。このクレジットの量は別のＡＴ５０４のリソースを消費する際に利用され得る。また他のそのようなＡＴ５０４による消費のためのリソースを提供することによって増加され得る。アカウンティングモジュール５１８は、ネットワーク参加時に、（例えば、ＡＴ５０４からサービス要求を取得して）ＡＴ５０４に対するクレジットの初期量を提供し得る。このクレジットの初期量は、固定、または加入のレベル、クレジット利用履歴、リソース共有履歴およびその他に基づいて可変であり得る。主題の開示のいくつかの態様において、アカウンティングモジュール５１８は個々のＡＴ５０４に対するデータベース５３２内のそれぞれの記録５３４を初期化し得る。この記録は個々のＡＴ５０４に対する現在のリソース共有クレジットを格納し得る。特定のＡＴ５０４からの共有リソースに対する要求を受信すると、アカウンティングモジュール５１８は、その特定のＡＴ５０４に関係づけられた記録に格納されたクレジットの現在の量を取得し、これらのクレジットをＡＴ５０４へ出力し得る。代替的に、または付加的に、アカウンティングモジュール５１８はクレジットの量に基づいて、共有リソース消費の量または期間を統制し得る。主題の開示のいくつかの態様において、アカウンティングモジュール５１８は、特定のＡＴ５０４による消費のためにどの共有リソースが利用可能かを、クレジットの量に基づいて指定し得る（例えば、ここで、異なるリソースは異なるクレジットコストを有する）。主題の開示の少なくともいくつかの態様において、アカウンティングモジュール５１８は、共有リソース要求を満たすためにクレジットの量を一時メモリ（５１６）に入れ、リソースの共有の完了時に、または特定のＡＴ５０４が基地局５０２によってサービスされるカバレッジエリアを離れる時に適切な記録５３４を新しいクレジットの量で更新し得る。
【００６５】
上記に加えて、基地局５０２は、共有リソースの供給または消費に基づいて個々のＡＴ５０４の共有リソースクレジットを更新するための調停モジュール５２０を含み得る。このように、例えばＡＴ５０４が共有リソースを消費する場合、調停モジュール５２０は消費するＡＴ５０４に関係づけられたクレジットの量を減じ得る。同様に、調停モジュール５２０は供給するＡＴ５０４に関係づけられたクレジットの量を増加させ得る。クレジットの動作中の総量は、調停モジュール５２０によって個々のＡＴ５０４に対するメモリ５１６内に維持され得る。いくつかの態様に従って、調停部品５２０は共有リソースを定義するための１組の規則５３６にアクセスし得る。この規則は、ネットワーク割当された無線チャンネルリソース（例えばタイムスロット、周波数帯域、ＯＦＤＭシンボル、ＣＤＭＡ符号）、割当てられた送信電力、ライセンスされたネットワークもしくは第三者アプリケーション、ネットワーク接続期間、ＡＴ５０４のプロセッササイクル数、ＡＴ５０４のメモリ格納空間、またはその他を含み得る。
【００６６】
上記に加えて、基地局５０２はＡＴ５０４がリソース共有の加入に関係しているかどうかを決定し得るアクセスモジュール５２２を含み得る。したがって、リソース共有の実施は、アクセスモジュール５２２によってそのような加入があることが条件にされ得る。いくつかの態様に従って、基地局５０２は、特定のＡＴ５０４に関係づけられたユーザフラグの状態をチェックするように構成された選択モジュール５２４を含み、そのユーザフラグの状態（例えば、動作可能または動作不能）を、そのようなＡＴ５０４のリソースを共有することまたはリソースを提供することの条件にし得る。さらに、主題の開示の少なくとも１つの態様において、基地局５０２は、協調通信におけるリソースの共有の拒否に対して（例えばユーザフラグの状態に基づいて）ＡＴ５０４にペナルティーを課す制約モジュール５２６を含み得る。このペナルティーは、リソース共有を動作可能にする／リソース共有に参加する、更なる動機付けとして実施され得る。また、このペナルティーは、ある期間他のＡＴ５０４の共有リソースへのアクセスの制約、動作不能にされたＡＴ５０４に関係づけられたクレジットの量を減少させること、またはその他を含み得る。
【００６７】
図６に主題の開示の態様に従う協調無線通信のために構成されたＡＴ６０２を含む例示的システムのブロック図を示す。ＡＴ６０２は、固定またはアドホック無線ネットワークの１つ以上のリモート送受信機６０４（例えばアクセスポイント、Ｐ−Ｐパートナー）と無線で接続するように構成され得る。固定ネットワーク通信において、ＡＴ６０２は順方向リンクチャンネルで基地局（５０４）からの無線信号を受信し、逆方向リンクチャンネルで無線信号を用いて応答し得る。代替的に、または付加的に、ピアツーピア（Ｐ−Ｐ）通信において、ＡＴ６０２は、順方向リンクチャンネルまたは逆方向リンクチャンネルでリモートＰ−Ｐパートナー（５０４）から信号を受信し、それぞれ逆方向リンクチャンネルまたは順方向リンクチャンネルで無線信号を用いて応答し得る。さらに、ＡＴ６０２は、ここで説明するように、タスクを達成するときに異なる無線ノードのリソースを使用するための、他のそのようなノードへＡＴ６０２のリソースを提供するための、共有リソースの消費もしくは供給を追跡するための、またはリモート送受信機６０４（例えばパートナーＡＴもしくはネットワーク基地局）へ共有リソースの利用を報告するための、メモリ６１４に格納された命令を含み得る。
【００６８】
ＡＴ６０２は、信号を受信する少なくとも１つのアンテナ６０６（例えば、無線送信／受信インタフェイスまたは入力／出力インタフェイスを含むそのようなインタフェイスのグループ）および受信機６０８を含む。受信機は受信信号に対して典型的な動作（例えばフィルタリング、増幅、ダウンコンバージョンなど）を実行する。一般に、アンテナ６０６および送信機６３２（まとめて送受信機という）はリモート送受信機６０４との無線データ交換を容易にするように構成され得る。
【００６９】
また、アンテナ６０６および受信機６０８は、受信シンボルを復調しそのような信号を処理回路６１２へ評価のために出力し得る復調器６１０に接続され得る。処理回路６１２はＡＴ６２０の１つ以上の部品（６０６、６０８、６１０、６１４、６１６、６１８、６２０、６２２、６２４、６２６、６２８、６３０）を制御しおよび／または参照し得る。さらに、処理回路６１２はＡＴ６０２の機能を実行するための適切な情報または制御を含む１つ以上のモジュール、アプリケーション、エンジン、またはその他（６１６、６１８、６２０、６２２、６２４、６２６、６２８、６３０）を実行し得る。例えば、そのような機能は、リモート送受信機６０４との協調通信におけるリソースを共有すること、および共有リソースを追跡することを含み得る。さらに、機能は、ここに説明するように、協調通信に基づくＡＴ６０２もしくは送受信機６０４に対するクレジットの量の更新、共有リソースもしくは更新されたクレジットのネットワークエンティティへの報告、または類似の動作を含み得る。
【００７０】
付加的に、ＡＴ６０２のメモリ６１４は処理回路６１２に動作的に接続される。メモリ６１４は、送信、受信等されるべきデータ、およびリモートデバイス（５０４）との無線交信の実行に適切な命令を格納し得る。詳細には、これらの命令は、ここに説明するように、協調通信、リソース共有、およびそれらと連携して公正さを実施すること、を実施するために利用され得る。さらに、メモリ６１４は上記の処理回路６１２によって実行されるモジュール、アプリケーション、エンジンその他（６１６、６１８、６２０、６２２、６２４、６２６、６２８、６３０）を格納し得る。
【００７１】
特定の態様に従って、ＡＴ６０２は、リモート送受信機６０４との協調無線通信と連携して、共有可能なリソースを識別し、提供し、または受け取るための共有化モジュール６１６を含み得る。さらに、ここに説明するように、調停モジュール６１８は、共有可能リソースを消費または提供することに基づいてクレジットの量を更新するために使用され得る。協調通信を開始するために、アクセスモジュール６２０はリモート送受信機のリソースを利用するための要求を提出するために使用され得る。アクセスモジュール６２０はその要求を、ＡＴ６０２に対して現在利用可能なリソースと比較した、タスク完了に必要なまたは最適なリソースの量に基づかせ得る。いくつかの態様において、この要求を提出することは、判定モジュール６２４によって維持されるユーザフラグの状態が条件にされ得る。
【００７２】
更なる態様に従って、ＡＴ６０２は、（例えばユーザフラグの状態で決まる）他の無線デバイスによる消費のために、ＡＴ６０２に関係づけられた共有可能なリソースを割当てるためのリソース管理モジュール６２６を含み得る。いくつかの態様において、例えば、リモート送受信機６０４が別のＡＴまたは他の適切なピアデバイスである場合、ピアツーピア通信モジュール６２８が、ここに説明されるように、共有された通信を支援するためにリモート送受信機６０４との無線チャンネルを生成するために使用され得る。上で説明したように、共有リソースは追跡され得るし、またそのようなリソースの消費／供給はそれぞれの協調デバイス６０２、６０４に関係づけられた共有するクレジットの量に反映され得る。そのような共有または消費にそれぞれ基づくクレジットの増加または減少により、ＡＴ６０２は協調無線通信への広範囲の参加を促すために、リソース共有における公正さを支援し得る。
【００７３】
上述のシステムを、いくつかの部品、モジュール、および／または、通信インタフェイス間の相互の関連に関して説明してきた。そのようなシステムおよび部品／モジュール／インタフェイスが、そこで指定された部品もしくは従属部品、指定された部品もしくは従属部品のいくつか、および／または付加的部品を含み得ることが認識されるべきである。例えば、システムはＡＴ６０２、基地局５０２、および無線通信装置Ｂ２０４、またはこれらのもしくは他の部品の異なる組合せを含み得るだろう。従属部品は親部品内に含まれる部品ではなく他の部品に通信的に接続された部品として実施され得るだろう。付加的に、１つ以上の部品が集約した機能を提供する単一部品に組み合わされ得るだろうことに注意すべきである。例えば、共有リソース要求を提出し、単一部品としてユーザフラグの状態をリソース共有の条件にすることを容易にするために、アクセスモジュール４１２は判定モジュール４１６を、逆も同様に、含み得る。また、部品は、ここに明確には説明しないが、当業者には既知の他の１つ以上の部品と互いに関係し得る。
【００７４】
さらに、認識されるように、上記の開示されたシステムの種々の部分および以下の方法は人工知能もしくは知識、または規則ベースの部品、従属部品、プロセス、手段、方法、もしくはメカニズム（例えば、サポートベクトルマシン、ニューラルネットワーク、エキスパートシステム、ベイズ（Ｂａｙｅｓ）の信頼ネットワーク、ファジィ論理、データフージョンエンジン、分類器・・・）を含むかまたはそれらから成り得る。そのような部品は、とりわけ、およびここに既に説明したことに加えて、それらによって実行されるあるメカニズムまたはプロセスを、システムおよび方法の部分を効率的かつ知的にすると同様により適応的にするために、自動化し得る。
【００７５】
上に説明した代表的なシステムを考慮して、開示された主題に関係して実施され得る方法は図７−図１０のフローチャートを参照してより良く認識されるだろう。説明の簡明さのために、方法は一連のブロックとして示されまた説明されるが、いくつかのブロックはここに示され説明されるものとは異なる順序でおよび／または他のブロックと同時に起こり得る故に、特許請求の対象がブロックの順序によって限定されないことが理解され、認識されるべきである。さらに、すべての例示されたブロックが以下に説明される方法を実施するために要求され得るというわけではない。付加的に、以下におよび本明細書を通じて開示される方法が、そのような方法をコンピュータへ伝送または転送することを容易にするために、製品に格納されることが可能であるということがさらに認識されるべきである。用語「製品」は、用いられると、任意のコンピュータ読み取り可能なデバイス、通信事業者と連携するデバイス、または記憶媒体からアクセス可能なコンピュータプログラムを包含することが意図されている。
【００７６】
図７に、主題の開示の態様に従う協調無線通信における公正なリソース共有を提供するための例示的方法７００のフローチャートを例示する。７０２において、方法７００は、無線サービスへの要求を取得するための通信インタフェイス（例えば無線通信インタフェイス）を使用し得る。この要求は無線通信装置によって開始される。さらに、この無線通信装置は、無線ネットワークに対して無線通信サービスを提供するネットワーク基地局のカバレッジエリア内にあり得る。いくつかの態様において、この要求は要求デバイスのＩＤを特定し得る。ここで、ＩＤは要求デバイスのネットワーク加入を参照するために利用され得る。
【００７７】
７０４において、方法７００は、要求デバイスに代わって共有リソース管理命令を実行する１組のプロセッサを使用し得る。いくつかの事例において、この命令は、要求デバイスが協調無線通信のための共有リソース加入に関係しているかどうかを識別するように構成され得る。さらに、命令は、ユーザフラグが他の態様における共有リソースを動作可能にするかどうかを決定するように構成され得る。７０６において、方法７００は要求デバイスに対する共有リソースクレジットの量を初期化し得る。共有リソースクレジットは、固定数、または１つ以上の適切な因子に基づく変数であり得る。一例において、この因子は要求デバイスに対応する加入レベル、要求デバイスに関係づけられたクレジットの履歴、要求デバイスのリソース共有履歴、およびその他を含み得る。
【００７８】
上記に加えて、７０８において、要求デバイスが協調無線通信にある別の無線ノードとリソースを共有する、またはそのリソースを消費する場合、方法７００はクレジットの量を更新し得る。一例として、クレジットの量を更新することは、要求デバイスが他の無線ノードがリソースを消費するために提供する場合には、その量を増加することを含み得る。別の例として、クレジットの量を更新することは、要求デバイスが他の無線ノードによって提供されたリソースを消費する場合には、その量を減少することを含み得る。さらに、他の例において、上記の組合せが実施され得る。説明したように、方法７００は、消費に利用可能な共有リソースの量を、消費のために提供された共有リソースの量と互いに関連させることにより、公正なリソース共有を支援し得る。リソースを消費および提供することが、無線ネットワークの１つ以上の指定された無線ノード、または無指定の無線ノードに関連し得ることが認識されるべきである。さらに、クレジットの量は、無線ネットワーク内の共有された特定のリソース、またはその特定のリソースの現在の要求状態に基づいて加重され得る。
【００７９】
図８に、公正プロトコルに従って協調通信を実施するための例示的方法８００のフローチャートを示す。８０２において、方法８００は、無線ノードからサービス要求を取得するために通信インタフェイスを使用し得る。８０４において、方法８００は、サービス要求に関連してその無線ノードに対するリソース共有の加入を参照し得る。８０６において、無線ノードが適切なリソース共有加入に関係しているかどうかに関して判定し得る。関係していれば、方法８００は８１０へ進み得る。そうでなければ、方法８００は８０８へ進み、そこで、サービス要求に応答してその無線ノードに非共有無線サービスが提供される。
【００８０】
８１０において、方法８００はサービス要求に基づいて無線ノードに対するクレジットの量を任意選択的に初期化し得る。８１２において、方法８００は無線ノードに関連する共有リソースに対する要求を取得し得る。８１４において、共有がその無線ノードに対して、または協調無線通信に連携してリソースを無線ノードに提供可能な他の適切なノードに対して動作可能であるか、に関する判定がなされる。共有がそのようなノードに対して動作可能である場合、方法８００は８２０に進み得る。それ以外の場合、方法８００は８１６へ進む。
【００８１】
８１６において、共有が無線ネットワークのそのノードまたは適切な他のノードによって動作可能にされない場合、方法８００は、無線ノードに関して共有を拒否し得る。また、そのような判定は、任意の適切なノードが共有リソースを提供するために存在するかどうかにも基づき得る。８１８において、方法８００は任意選択的に無線ノードへの共有リソースを拒否することに対してノードにペナルティーを課し得る。このペナルティーは、拒否するノードに関係づけられた共有クレジットを減少すること、拒否するノードをペナルティー期間中は共有リソースを受け取ることを制約すること、または類似のものを含み得る。
【００８２】
８２０において、方法８００は協調通信のための適切なリソースを特定し得る。適切なリソースは、要求の共有に関係するタスクの形式、共有リソースを要求する無線ノードに利用可能なクレジットの量、その他に基づいて特定され得る。８２２において、方法８００は、（例えば、適切なリソースまたはノードが特定され得る場合）、リソースを共有することを容易にし得る。８２４において、方法８００は、協調通信に関連する無線ノードによるリソース消費を追跡し得る。８２６において、方法８００は、例えば、共有リソースを提供する無線ノードに対してクレジットの量を増加することにより、および、共有リソースを消費する無線ノードに関係するクレジットの量を減少することにより、共有されたおよび消費されたリソースをアカウントし得る。
【００８３】
図９に、協調通信におけるリソース共有を容易にするための例示的方法９００のフローチャートを示す。９０２において、方法９００は、少なくとも１つの無線通信装置との無線通信信号を送信するかまたは受信するための無線インタフェイスを使用し得る。９０４において、方法９００は、少なくとも１つの無線通信装置と無線リソース共有を実施するための１組のデータプロセッサを使用し得る。リソース共有はネットワークによって容易化されたリソース共有のための（例えば基地局による）ネットワーク通信、ピアによって容易化されたリソース共有のためのピアツーピア通信、またはそれらの適切な組合せを使用し得る。
【００８４】
９０６において、方法９００は無線リソースの取得または提供の要求を管理し得る。一例として、要求を管理することは、無線リソースを消費する要求を承認するかまたは拒否することを含み得る。代替的にまたは付加的に、要求を管理することは、無線リソースを消費する要求の開始を承認するかまたは拒否することを含み得る。９０８において、方法９００は、ここに説明するように、共有リソースを費やすまたは提供する時に、無線共有クレジットの修正を容易にし得る。この容易化は、共有通信に参加する無線ノードに対する共有クレジットを追跡し、更新することをさらに含み得る。代替的にまたは付加的に、この容易化は、消費された／提供されたリソースの報告を、リソース共有クレジットのネットワーク管理のために、ネットワークエンティティに提出することを含み得る。
【００８５】
図１０に、公正プロトコルに従って、協調無線通信を容易にするための例の方法１０００のフローチャートを示す。１００２において、方法１０００は、無線ネットワークにサービス要求を提出し得る。１００４において、方法１０００は、そのサービス要求に応答してリソース共有クレジットの初期数を取得し、格納し得る。１００６において、方法１０００は、タスクのトラヒック要求を解析して、リソースの必要性を識別し得る。１００８において、方法１０００は、タスクを実施する無線通信装置の共有可能リソースを任意選択的に送信し、公表し得る。１０１０において、リソース共有が動作可能にされているかどうかに関して判定がなされ得る。動作可能であれば、方法１０００は１０１４へ進み得る。それ以外の場合、方法１０００は１０１２へ進む。
【００８６】
１０１２において、方法１０００は、入力の共有要求を拒否し１０１６へ進み得る。１０１４において、方法１０００は、要求している無線通信装置のクレジットの数に、要求されたリソースの利用可能性に、またはその他に任意選択的に基づいて、１つ以上の入力の共有要求を承諾し得る。１０１６において、方法１０００は、１つ以上の隣接無線通信装置からの共有可能リソースの使用を要求し得る。１０１８において、方法１０００は、協調無線通信に関連して消費されたか、または提供されたリソースを追跡し得る。１０２０において、方法１０００は、共有リソースの消費または供給を詳細に記述した共有リソース報告メッセージを公平な無線通信装置へ任意選択的に提出し得る。１０２２において、方法１０００は、協調無線通信のためのクレジットの量をそのような通信と関連して消費されたまたは提供されたリソースに基づいて更新し得る。
【００８７】
図１１および図１２に、主題の開示の態様に従う公正規則に基づく協調無線通信におけるリソース共有を、実施するためおよび容易にするためのそれぞれの例示的システム１１００、１２００のブロック図を示す。例えば、システム１１００および１２００は無線通信ネットワーク内に、および／またはノード、基地局、アクセスポイント、ユーザ端末、移動インタフェイスカードに接続されたパーソナルコンピュータ、もしくはその他のような送信機内に少なくとも部分的に存在し得る。システム１１００および１２００が機能ブロックを含んでいるとして表されており、これらは、プロセッサ、ソフトウェア、またはそれの組合せ（例えば、ファームウェア）によって実施される機能を表す機能ブロックであり得る、ということが認識されるべきである。
【００８８】
システム１１００は、無線通信インタフェイスを使用するために第１のモジュール１１０２を含み得る。そのようなインタフェイスは１つ以上の他の無線通信システム（図示せず）とデータを交換することに関連して利用され得る。さらに、システム１１００は、協調無線通信に関連して提供されるまたは消費される無線共有クレジットを処理するための第２のモジュール１１０４を含み得る。この処理は、協調通信のために消費されたまたは提供されたリソースの記録の初期化および維持を含み得る。さらに、この処理は、通信に関わる個別のデバイスに対する個別の記録を含み得る。また個々のデバイスに関係づけられたクレジットの量を格納し得る。上記に加えて、システム１１００は、協調通信で使用されるリソースに基づいてクレジットの量を更新するための第３のモジュール１１０６を含み得る。更新は、共有リソースを提供するデバイスに対してクレジットの量を増加すること、または共有リソースを消費するデバイスに対してクレジットの量を減少すること、または双方を含み得る。
【００８９】
システム１２００は、無線データ交換における無線通信インタフェイスを使用するための第１のモジュール１２０２を含み得る。さらに、システム１２００は、リソース共有要求を管理するための第２のモジュール１２０４を含み得る。第２のモジュール１２０４は、システム１２００による共有リソースの提供に対する要求を承諾もしくは拒否し得る。またはシステム１２００による無線ノードの共有リソースを消費するための要求を承諾もしくは拒否し得る。要求を承認するかまたは拒否するという決定は要求するデバイスが利用可能なリソース共有クレジットの量に基づき得る。さらに、または代替的に、要求を承諾するかまたは拒否するという決定は個々のデバイスに関係づけられているユーザフラグに基づき得る。例えば、ユーザフラグの状態がリソース共有を動作可能にする場合、要求は承諾され得る。逆に、ユーザフラグの状態がリソース共有を動作不能にする場合、要求は拒否され得る。さらに、システム１２００は、共有リソースの記録を容易にするための第３のモジュール１２０６を含み得る。この記録は、協調通信に関連するリソースの消費または供給の記録を維持することを含み得る。いくつかの場合において、この記録は、ここに説明するように、リソースを提供するかまたは消費する無線ノードにそれぞれ関係づけられたリソース共有クレジットの量を更新することを含み得る。
【００９０】
図１３は、ここに開示されたいくつかの態様に従う、無線通信を支援し得る例示的システム１３００のブロック図を示す。アクセスポイント１３０５において、ダウンリンクで、送信（ＴＸ）データプロセッサ１３１０はトラヒックデータを入力し、フォーマットし、符号化し、インタリービングし、および変調（またはシンボルマッピング）し、変調シンボル（「データシンボル」）を出力する。シンボル変調器１３１５は、データシンボルおよびパイロットシンボルを入力し、処理し、シンボルストリームを出力する。シンボル変調器１３２０は、データおよびパイロットシンボルを多重化し、それらを送信機ユニット（ＴＭＴＲ）１３２０へ出力する。各送信シンボルはデータシンボル、パイロットシンボル、または０の信号値であり得る。パイロットシンボルは、各シンボル期間内に連続的に送られ得る。パイロットシンボルは、周波数分割多元（ＦＤＭ）、直交周波数分割多元（ＯＦＤＭ）、時分割多元（ＴＤＭ）、符号分割多元（ＣＤＭ）、もしくはそれらのまたは類似の変調および／または伝送技術の適切な組合せであり得る。
【００９１】
ＴＭＴＲ１３２０はシンボルストリームを受け取り、１つ以上のアナログ信号に変換し、無線チャンネル上での伝送に適したダウンリンク信号を生成するためにそのアナログ信号を調整（例えば増幅、濾波、および周波数アップコンバート）する。次に、ダウンリンク信号はアンテナ１３２５を通じて端末へ送信される。端末１３３０において、アンテナ１３３５は、ダウンリンク信号を受信し、受信信号を受信機ユニット（ＲＣＶＲ）１３４０へ出力する。受信機ユニット１３４０は受信信号を調整（例えば、濾波、増幅、および周波数ダウンコンバート）し、調整された信号を、サンプルを取得するためにディジタル化する。シンボル復調器１３４５は、受信パイロット信号を復調しチャンネル推定のためにプロセッサ１３５０へ出力する。シンボル復調器１３４５はプロセッサ１３５０からダウンリンクの周波数応答推定を入力し、（送信データシンボルの推定である）データシンボル推定を取得するために受信データシンボルにデータ復調を実行し、さらにデータシンボル推定をＲＸデータプロセッサ１３５５へ出力する。このデータプロセッサは、送信されたトラヒックデータを復元するために、データシンボル推定を復調（すなわちシンボルデマッピング）し、デインターリービングし、さらに復号する。シンボル復調器１３４５およびＲＸデータプロセッサ１３５５による処理は、それぞれアクセスポイント１３０５におけるシンボル変調器１３１５およびＴＸデータプロセッサ１３１０と相補的である。
【００９２】
アップリンクにおいて、ＴＸデータプロセッサ１３６０は、トラヒックデータを処理し、データシンボルを出力する。シンボル変調器１３６５は、データシンボルおよびパイロットシンボルを入力し、多重化し、変調を実施し、シンボルストリームを出力する。次に、送信機ユニット１３７０は、アップリンク信号を生成するためにシンボルストリームを入力し処理する。アップリンク信号はアンテナ１３３５によってアクセスポイント１３０５へ送信される。詳細には、アップリンク信号は、ＳＣ−ＦＤＭＡの要求条件通りであり得るし、またここに説明されるように周波数ホッピングメカニズムを含み得る。
【００９３】
アクセスポイント１３０５において、端末１３３０からのアップリンク信号はアンテナ１３２５によって受信され、受信機ユニット１３７５によって処理され、サンプルを取得する。次に、シンボル復調器１３８０は、サンプルを処理し、受信パイロットシンボルおよびアップリンクのデータシンボル推定を出力する。ＲＸデータプロセッサ１３８５は、端末１３３０によって送信されたトラヒックデータを復元するためにデータシンボル推定を処理する。プロセッサ１３９０はアップリンクで送信している動作中の各端末に対するチャンネル推定を実行する。複数の端末は、アップリンクで、それらのそれぞれ割当てられた１組のパイロットサブバンドでパイロットを同時に送信し得る。ここで１組のパイロットサブバンドはインターレースされ得る。
【００９４】
プロセッサ１３９０および１３５０はそれぞれアクセスポイント１３０５および端末１３３０における動作を指示（例えば、制御、調整、管理等）する。それぞれのプロセッサ１３９０および１３５０はプログラムコードおよびデータを格納するメモリユニット（図示せず）に関係づけられ得る。さらに、プロセッサ１３９０および１３５０は、それぞれアップリンクおよびダウンリンクに対する周波数およびインパルス応答推定を導出するための計算を実行し得る。
【００９５】
多元接続システム（例えば、ＳＣ−ＦＤＭＡ、ＦＤＭＡ、ＯＦＤＭＡ、ＣＤＭＡ、ＴＤＭＡ等）において、複数の端末は、アップリンクで同時に送信し得る。そのようなシステムにおいては、パイロットサブバンドは異なる端末間で共有され得る。各端末のパイロットサブバンドが（おそらく帯域端を除いた）全動作帯域にわたる場合には、チャンネル推定手法が用いられ得る。そのようなパイロットサブバンド構造は、各端末に対して周波数ダイバーシチを実施し得るために望ましいだろう。ここに説明した手法は種々の手段で実施され得る。例えば、これらの手法はハードウェア、ソフトウェア、またはそれらの組合せで実施され得る。ディジタル、アナログ、またはディジタルおよびアナログ双方であり得るハードウェアの実施において、チャンネル推定に用いられる処理ユニットは１つ以上の特定用途向ＩＣ（ａｐｐｌｉｃａｔｉｏｎ  ｓｐｅｃｉｆｉｃ  ｉｎｔｅｇｒａｔｅｄ  ｃｉｒｃｕｉｔ：ＡＳＩＣ）、ディジタル信号プロセッサ（ｄｉｇｉｔａｌ  ｓｉｇｎａｌ  ｐｒｏｃｅｓｓｏｒ：ＤＳＰ）、ディジタル信号処理デバイス（ｄｉｇｉｔａｌ  ｓｉｇｎａｌ  ｐｒｏｃｅｓｓｉｎｇ  ｄｅｖｉｃｅ：ＤＳＰＤ）、プログラマブル論理デバイス（ｐｒｏｇｒａｍｍａｂｌｅ  ｌｏｇｉｃ  ｄｅｖｉｃｅ：ＰＬＤ）、フィールドプログラマブルゲートアレイ（ｆｉｅｌｄ  ｐｒｏｇｒａｍｍａｂｌｅ  ｇａｔｅ  ａｒｒａｙ：ＦＰＧＡ）、プロセッサ、制御器、マイクロ制御器、マイクロプロセッサ、ここに説明した機能を実行するように設計された他の電子ユニット、またはそれの組合せの中で実施され得る。ソフトウェアについては、ここに説明した機能を実行するモジュール（例えば、プロシージャ、関数など）を通じて実施され得る。ソフトウェアコードはメモリユニットに格納され、プロセッサ１３９０および１３５０によって実行され得る。
【００９６】
図１４に複数の基地局（ｂａｓｅ  ｓｔａｔｉｏｎ：ＢＳ）１４１０（例えば、無線アクセスポイント、無線通信装置）を有する無線通信システム１４００および１つ以上の態様に関連して利用され得るような複数の端末１４２０（例えば、ＡＴ）を示す。ＢＳ（１４１０）は一般に端末と交信する固定局であり、アクセスポイント、ノードＢ、またはある他の用語で呼ばれ得る。各ＢＳ１４１０は、図１４の３つの地域、１４０２ａ、１４０２ｂ、および１４０２ｃと名付けた特定の地域またはカバレッジエリアを提供する。用語「セル」はこの用語が用いられる文脈に従って、ＢＳまたはそのカバレッジエリアを指し得る。システム容量を改善するために、ＢＳの地域／カバレッジエリアは複数のより小さい領域（例えば、図１４のセル１４０２ａに従って、３つのより小さい領域）、１４０４ａ、１４０４ｂ、および１４０４ｃに分割され得る。より小さい領域（１４０４ａ、１４０４ｂ、１４０４ｃ）の各々はそれぞれの基地トランシーバサブシステム（ｂａｓｅ  ｔｒａｎｓｃｅｉｖｅｒ  ｓｕｂｓｙｓｔｅｍ：ＢＴＳ）によってサービスを受け得る。用語「セクタ」はその用語が用いられる文脈に依存してＢＴＳまたはそのカバレッジエリアを指し得る。セクタ化されたセルにおいて、そのセルのすべてのセクタに対するＢＴＳはそのセルに対する基地局内に通常は共同設置される。ここに説明する伝送法は、セクタ化されないセルを有するシステムと同様にセクタ化されたセルを有するシステムに用いられ得る。簡単さのために、主題の説明において、特に指定しない限り、用語「基地局」は、セルにサービスする固定局と同様にセクタにサービスする固定局に対して一般的に用いられる。
【００９７】
端末１４２０は、通常システム中に分散され、各端末１４２０は固定または移動であり得る。また、端末１４２０は移動局、ユーザ機器、ユーザデバイス、無線通信装置、または他の用語で呼ばれ得る。端末１４２０は、無線デバイス、携帯電話、個人情報端末（ＰＤＡ）、無線モデムカードなどであり得る。各端末１４２０はいつでも０個、１個、または複数のＢＳ１４１０とダウンリンク（例えば、ＦＬ）およびアップリンク（例えば、ＲＬ）で交信し得る。ダウンリンクは基地局から端末への通信リンクを指し、アップリンクは端末から基地局への通信リンクを指す。
【００９８】
集中化されたアーキテクチャにおいて、システム制御器１４３０は、基地局１４１０に接続され、複数のＢＳ１４１０に対する調整および制御を提供する。分散化されたアーキテクチャにおいて、ＢＳ１４１０は必要に応じて（例えば、通信的に複数のＢＳ１４１０を接続する有線または無線バックホールネットワークによって）相互に交信し得る。順方向リンクでのデータ伝送は、１つのアクセスポイントから１つのアクセス端末へ、順方向リンクまたは通信システムによってサポートされ得る最大データレートでまたはそれに近いデータレートで、しばしば発生する。順方向リンクの付加的チャンネル（例えば制御チャンネル）は複数のアクセスポイントから１つのアクセス端末へ送信され得る。逆方向リンクデータ通信は、１つのアクセス端末から１つ以上のアクセスポイントへ発生し得る。
【００９９】
図１５は種々の態様に従う、計画されたまたは部分的に計画された（ｓｅｍｉ−ｐｌａｎｎｅｄ）無線通信環境１５００の例示である。システム１５００は、１つ以上のセルおよび／またはセクタ内の、相互のおよび／または１つ以上の移動デバイス１５０４への無線通信信号を受信、送信、中継、その他をする、１つ以上のＢＳ１５０２を含み得る。例示するように、各ＢＳ１５０２は、１５０６ａ、１５０６ｂ、１５０６ｃ、および１５０６ｄと名付けた４つの地域として例示された特定の地域に通信カバレッジを提供し得る。各ＢＳ１５０２は送信機チェーンと受信機チェーンを含み得る。これらの各々は順に、当業者には認識されるだろうように、信号送信および受信に関係する複数の部品（例えばプロセッサ、変調器、マルチプレクサ、復調器、デマルチプレクサ、アンテナ、その他、図５を見よ）を含み得る。例えば、移動デバイス１５０４は、例えば携帯電話、スマートホン、ラップトップ、ハンドヘルド通信デバイス、ハンドヘルド計算デバイス、衛星ラジオ、全地球測位システム、ＰＤＡ、または無線ネットワーク１５００上で通信するための任意の他の適切なデバイスであり得る。システム１５００は、ここに記載されるように、協調無線通信における共有リソースに関連する公正さの提供を支援するために、ここに説明される種々の態様に関連して使用され得る。
【０１００】
用語「部品」、「システム」、「モジュール」、およびその他は、主題の開示で用いられると、コンピュータ関連のエンティティ、ハードウェア、ソフトウェア、実行中のソフトウェア、ファームウェア、ミドルウェア、マイクロコード、および／またはそれらの任意の組合せのいずれかを指すように意図される。例えば、モジュールは、非限定的に、プロセッサ上で実行する処理、プロセッサ、オブジェクト、エクゼキュータブル、実行のスレッド、プログラム、デバイス、および／またはコンピュータであり得る。１つ以上のモジュールは処理、または実行のスレッドにあり得る。また、モジュールは１つの電子デバイス上に局所化、または２つ以上の電子デバイス間に分散され得る。さらに、これらのモジュールは種々のデータ構造を格納している種々のコンピュータ読み取り可能な媒体から実行し得る。これらのモジュールは、例えば１つ以上のデータパケットを有する信号（例えば、この信号によってローカルシステム、分散システム内の別の部品と、またはインターネットのようなネットワークをまたがって他のシステムと相互に関係する１つの部品からのデータ）に従ってローカルまたはリモート処理によって通信し得る。付加的に、ここに説明したシステムの部品またはモジュールは、それらについて説明した種々の態様、目標、利点その他の達成を支援するために、再編成されるかまたは付加的部品／モジュール／システムによって補足され得る。また、これらの部品またはモジュールは、当業者に認識されるであろうように、所与の図面に記載された明確な構成には限定されない。
【０１０１】
さらに、ＵＴに関連して種々の態様をここに説明する。また、ＵＴはシステム、加入者ユニット、加入者局、移動局、モバイル、移動通信デバイス、移動デバイス、リモート局、リモート端末、アクセス端末（ａｃｃｅｓｓ  ｔｅｒｍｉｎａｌ：ＡＴ）、ユーザエージェント（ｕｓｅｒ  ａｇｅｎｔ：ＵＡ）、ユーザデバイス、またはユーザ機器（ｕｓｅｒ  ｅｑｕｉｐｍｅｎｔ：ＵＥ）と呼ばれ得る。加入者局は携帯電話、コードレス電話、セッション確立プロトコル（Ｓｅｓｓｉｏｎ  Ｉｎｉｔｉａｔｉｏｎ  Ｐｒｏｔｏｃｏｌ：ＳＩＰ）電話、無線ローカルループ（ｗｉｒｅｌｅｓｓ  ｌｏｃａｌ  ｌｏｏｐ：ＷＬＬ）局、個人情報端末（ｐｅｒｓｏｎａｌ  ｄｉｇｉｔａｌ  ａｓｓｉｓｔａｎｔ：ＰＤＡ）、無線接続能力を有するハンドヘルドデバイス、またはプロセスデバイスとの無線交信を支援する無線モデムもしくは類似のメカニズムに接続された他のプロセスデバイスであり得る。
【０１０２】
１つ以上の代表的な実施例において、説明した機能はハードウェア、ソフトウェア、ファームウェア、ミドルウェア、マイクロコード、またはそれらの任意の適切な組合せで実施され得る。ソフトウェアで実施される場合、機能は、コンピュータ読み取り可能な媒体上の１つ以上の命令またはコードとして格納されるかまたは伝送され得る。コンピュータ読み取り可能な媒体はコンピュータ記憶媒体および通信媒体の双方を含む。これらは１つの場所から他の場所へのコンピュータプログラムの転送を容易にする任意の媒体を含む。記憶媒体は、コンピュータによってアクセスされ得る任意の物理媒体であり得る。限定としてではなく、例として、そのようなコンピュータ記憶媒体は、ＲＡＭ、ＲＯＭ、ＥＥＰＲＯＭ、ＣＤ−ＲＯＭもしくは他の光ディスク記憶、磁気ディスク記憶もしくは他の磁気記憶デバイス、スマートカード、およびフラッシュメモリデバイス（例えばカード、スティック、キードライブ・・・）または所望のプログラムコード手段を命令もしくはデータ構造の形式で搬送もしくは格納するために用いられ得る、かつコンピュータによってアクセスされ得る任意の他の媒体、を含み得る。例えば、ソフトウェアがウェブサイト、サーバ、または他のリモートソースから同軸ケーブル、光ファイバケーブル、撚り線、ディジタル加入者線（ｄｉｇｉｔａｌ  ｓｕｂｓｃｒｉｂｅｒ  ｌｉｎｅ：ＤＳＬ）、または赤外線、無線、およびマイクロ波のような無線技術を用いて伝送される場合、同軸ケーブル、光ファイバケーブル、撚り線、ＤＳＬ、または赤外線、無線、およびマイクロ波のような無線技術は媒体の定義に含まれる。ディスク（ｄｉｓｋ）およびディスク（ｄｉｓｃ）はここで使用されるように、ディスク（ｄｉｓｋ）は通常、データを磁気的に再生する一方、ディスク（ｄｉｓｃ）はレーザで光学的にデータを再生するコンパクトディスク（ｃｏｍｐａｃｔ  ｄｅｓｃ：ＣＤ）、レーザディスク、光ディスク、ディジタル多目的ディスク（ｄｉｇｉｔａｌ  ｖｅｒｓａｔｉｌｅ  ｄｉｓｃ：ＤＶＤ）、フロッピー（登録商標）ディスクおよびブルーレイディスクを含む。上記の組合せも、コンピュータ読み取り可能な媒体の範囲内に含まれるべきである。
【０１０３】
ハードウェアのインプリメントに対して、ここに開示した態様に関して説明した、プロセスユニットの種々の例示的論理、論理ブロック、モジュール、および回路は、１つ以上のＡＳＩＣ、ＤＳＰ、ＤＳＰＤ、ＰＬＤ、ＦＰＧＡ、離散ゲートもしくはトランジスタ論理、離散的ハードウェア部品、汎用プロセッサ、制御器、マイクロ制御器、マイクロプロセッサ、ここに説明した機能を実行するように設計された他の電子ユニット、またはそれの組合せにおいてインプリメントされまたは実行され得る。汎用プロセッサは、マイクロプロセッサであり得るが、代替的にはプロセッサは、任意の通常のプロセッサ、制御器、マイクロ制御器、またはステートマシンであり得る。プロセッサはまた、計算デバイスの組合せ、例えばＤＳＰとマイクロプロセッサ、複数のマイクロプロセッサ、ＤＳＰコアと連係した１つ以上のマイクロプロセッサ、または任意の他の適切な構成として実施され得る。付加的に、少なくとも１つのプロセッサは、ここに説明した１つ以上のステップおよび／または動作を実行するように動作可能な１つ以上のモジュールを含み得る。
【０１０４】
さらに、ここに説明した種々の態様または特徴は、標準的プログラミングおよび／または工学的手法を用いて、方法、装置または製品として実施され得る。さらに、ここに開示された態様に関して説明された方法またはアルゴリズムのステップおよび／または動作は、直接ハードウェアで、プロセッサで実行されるソフトウェアモジュールで、またはその２つの組合せで具体化され得る。付加的に、いくつかの態様において、方法またはアルゴリズムのステップまたは動作は、機械読み取り可能な媒体またはコンピュータ読み取り可能な媒体上に、コードまたは命令の少なくとも１つもしくは任意の組合せもしくはセットとして存在し得る。これらはコンピュータプログラム製品に組み込まれ得る。用語「製品」は、ここに用いられると、任意の適切なコンピュータ読み取り可能なデバイスまたは媒体からアクセス可能なコンピュータプログラムを包含することが意図されている。
【０１０５】
さらに、「代表的（ｅｘｅｍｐｌａｙ）」という言葉は、ここでは「例（ｅｘａｍｐｌｅ）、実例（ｉｎｓｔａｎｃｅ）、または例示（ｉｌｌｕｓｔｒａｔｉｏｎ）として役立つこと」を意味するために用いられる。ここで「代表的」と説明されたいかなる態様または設計も、必ずしも他の態様または設計より好ましいまたは有利であると解釈されるべきではない。むしろ、代表的と言う言葉の使用は具体的な方法で概念を説明することが意図されている。用語「または（ｏｒ）」は、この出願で用いられるように、排他的「または」よりもむしろ包括的な「または」を意味することが意図されている。すなわち、特に指定されていない限り、または文脈から明確でない限り、「ＸはＡまたはＢを使用する」は自然な包括的並べ替えのいずれかを意味することが意図される。すなわち、ＸがＡを使用する場合、ＸがＢを使用する場合、またはＸがＡおよびＢの双方を使用する場合、「ＸはＡまたはＢを使用する」は上記の例のいずれかの下で満足される。さらに、冠詞「ａ」および「ａｎ」は、この出願および添付の請求項で用いられるように、単数の形式に指定されるという別段の指定がされていない限り、または文脈から明確でない限り、一般に「１つ以上の」を意味すると解釈されるべきである。
【０１０６】
さらに、用語「推測する（ｉｎｆｅｒ）」または「推測（ｉｎｆｅｒｅｎｃｅ）」は、ここで用いられるように、一般に、イベントまたはデータを介して取り込まれたような、１組の観測値からシステム、環境、またはユーザの状態を推論または推測するプロセスを指す。推測は、特定の文脈または動作を特定するために使用され得るか、または例えば状態の確率分布を生成し得る。推測は確率的−すなわち、データおよびイベントの考察に基づく注目する状態の確率分布の計算であり得る。また、推測はイベント、または１組のデータから、より高いレベルのイベントを構成するために使用される手法も指し得る。そのような推測は、複数のイベントが時間的にごく接近して互いに関連しているか否かに関わらず、またイベントおよびデータが１つまたはいくつかのイベントおよびデータソースから発生するかどうかに関わらず、結果として、観測された１組のイベントおよび／または格納されたイベントデータからの新しいイベントまたは動作の構成を得る。
【０１０７】
上で説明されたことは特許請求の対象の態様の例を含む。特許請求の対象を説明する目的のために部品または方法の考え得るすべての組合せを説明することは当然可能ではないが、通常の当業者は開示された対象の多くの更なる組合せおよび置き換えが可能であることを認めるだろう。従って、説明した対象は、添付された請求項の精神と範囲の中にあるそのようなすべての変更、修正、および変形を包含するように意図されている。さらに、用語「含む」（ｉｎｃｌｕｄｅｓ）、「有する」（ｈａｓ）、または「有している」（ｈａｖｉｎｇ）が詳細な説明または請求項のいずれかで用いられていれば、そのような用語は、用語「含む」（ｃｏｍｐｒｉｓｉｎｇ）にいわば類似して、包含的であることが意図されている。「含む」（ｃｏｍｐｒｉｓｉｎｇ）は、用いられると、請求項内の移行句として解釈されるからである。
【図１】
2011526130.tif 000003
【図２】
2011526130.tif 000004
【図３】
2011526130.tif 000005
【図４】
2011526130.tif 000006
【図５】
2011526130.tif 000007
【図６】
2011526130.tif 000008
【図７】
2011526130.tif 000009
【図８】
2011526130.tif 000010
【図９】
2011526130.tif 000011
【図１０】
2011526130.tif 000012
【図１１】
2011526130.tif 000013
【図１２】
2011526130.tif 000014
【図１３】
2011526130.tif 000015
【図１４】
2011526130.tif 000016
【図１５】
2011526130.tif 000017
【手続補正書】
【提出日】平成23年4月27日(2011.4.27)
【手続補正１】
【補正対象書類名】明細書
【補正対象項目名】０００１
【補正方法】変更
【補正の内容】
【０００１】
米国特許法１１９条のもとでの優先権主張
本出願は、２００８年６月２６日に出願され、ここの譲受人に譲渡され、ここに参照として明白に組み込まれ、「協調システムにおける公正なリソース共有（ＦＡＩＲ  ＲＥＳＯＵＲＣＥ  ＳＨＡＲＩＮＧ  ＩＮ  ＣＯＯＰＥＲＡＴＩＶＥ  ＳＹＳＴＥＭＳ）」と名称がつけられた米国仮特許出願第６１／０７５，８６８号に対して優先権を主張する。  
以下の記載は、一般には、無線通信に関係し、より具体的には、無線通信環境における無線ノード間のリソース共有における公正さを提供することに関する。
【手続補正２】
【補正対象書類名】明細書
【補正対象項目名】００４７
【補正方法】変更
【補正の内容】
【００４７】
次に、図２を参照して、協調無線システム内のノードのクレジットの集中化した記録を維持し得るシステム２００を例示する。システム２００は無線通信装置Ａ２０２および無線通信装置Ｂ２０４を含む。（それらの各々は、例えば図１の無線通信装置１０２に実質的に類似し得る）。さらに、システム２００は公平な無線通信装置Ｃ２０６を含み得る。一例に従って、無線通信装置２０２−２０４はそれぞれアクセス端末であり得る。また、公平な無線通信装置Ｃ２０６は基地局であり得る。しかし、主題の開示および特許請求の対象はそのように制限されないことが認識されるべきである。さらに、図２に示すこの例は２つの無線通信装置２０２−２０４と１つの公平な無線通信装置Ｃ２０６を示すが、システム２００が無線通信装置２０２−２０４と同様の任意の適切な数の無線通信装置、または公平な無線通信装置Ｃ２０６と同様の任意の適切な数の公平な無線通信装置をサポートし得ることが認識されるべきである。
【手続補正３】
【補正対象書類名】明細書
【補正対象項目名】００４８
【補正方法】変更
【補正の内容】
【００４８】
無線通信装置Ａ２０２は（（図示しない）任意の数の個々のリソースと同様に）共有化モジュールＡ２０８および調停モジュールＡ２１０をさらに含み得る。また無線通信装置Ｂ２０４は（（図示しない）任意の数の個々のリソースと同様に）共有化モジュールＢ２１２、および調停モジュールＢ２１４をさらに含み得る。共有化モジュールＡ２０８および共有化モジュールＢ２１２はそれぞれ図１の共有化モジュール１０６に実質的に類似し得る。また、調停モジュールＡ２１０および調停モジュールＢ２１４はそれぞれ図１の調停モジュール１１０に実質的に類似し得ることが認識されるべきである。さらに、公平な無線通信装置Ｃ２０６は図１のアカウンティングモジュール１０６および調停モジュール１１０に、いくつかの態様において実質的にそれぞれ類似し得るアカウンティングモジュール２１６および調停モジュール２１８を含み得る。他の態様において、アカウンティングモジュール２１６および調停モジュール２１８は、以下に記述するように、無線ネットワークの無線ノード（２０２、２０４）に対するリソース共有を管理するように構成され得る。
【手続補正４】
【補正対象書類名】明細書
【補正対象項目名】００５０
【補正方法】変更
【補正の内容】
【００５０】
一例において、無線通信装置Ａ２０２または無線通信装置Ｂ２０４にリソースを貸出すことは、（例えば調停モジュールＡ２１０または調停モジュールＢ２１４によってそれぞれ維持されるように）それぞれの無線通信装置２０２、２０４が費やすに十分な量の利用可能なクレジットの量を有している限り、実施され得る。例えば、無線通信装置Ａ２０２のリソースが無線通信装置Ｂ２０４によって借りられると、無線通信装置Ａ２０２に関係づけられたクレジットの量は調停モジュールＡ２１０によって増加され、一方無線通信装置Ｂ２０４に関係づけられたクレジットの量は調停モジュールＢ２１４によって減少され得る。さらに、各無線通信装置２０２−２０４のクレジットの記録は公平な無線通信装置Ｃ２０６の調停モジュール２１８によって維持され得る。例えば、公平な無線通信装置Ｃ２０６は基地局であり得る。従って、クレジットの記録はその基地局によって管理され得る。しかし、主題の開示および特許請求の対象はそのように限定されない（例えば、公平な無線通信装置Ｃ２０６は公平な第三者アクセス端末・・・のようなネットワーク内の任意の異なるノードであり得る）。例示的な例に従って、クレジットの記録は共通の場所に管理され無線通信装置２０２−２０４の間の各協調的なコールの後に更新され得る。
【手続補正５】
【補正対象書類名】明細書
【補正対象項目名】００５３
【補正方法】変更
【補正の内容】
【００５３】
図３を参照して、協調ピアツーピアリソース共有環境のためのクレジットを使用するシステム３００を例示する。システム３００はここに説明するような（例えば共有化モジュールＡ３０６をさらに含む）無線通信システムＡ３０２、および（例えば共有化モジュールＢ３１０をさらに含む）無線通信システムＢ３０４を含む。さらに無線通信装置Ａ３０２は調停モジュールＡ３０８を含み、また無線通信装置Ｂ３０４は調停モジュールＢ３１２を含み得る。
【手続補正６】
【補正対象書類名】明細書
【補正対象項目名】００５４
【補正方法】変更
【補正の内容】
【００５４】
リソース共有に参加する複数の無線ノードのために、公平な無線通信装置における共通に維持されたクレジットの記録を使用し得る図２のシステム２００とは対照的に、システム３００は各無線通信装置３０２、３０４に対するローカルに管理されたクレジットの記録を使用し得る。無線通信装置３０２−３０４のそれぞれの調停モジュール３０８−３１２は、１つの装置（３０２、３０４）におけるクレジットの記録を保有し得るか、またはそれらのそれぞれのクレジットをローカルに（例えば、それぞれの調停モジュール３０８、３１２に）保持し得る。
【手続補正７】
【補正対象書類名】明細書
【補正対象項目名】００６３
【補正方法】変更
【補正の内容】
【００６３】
基地局５０２（例えば、アクセスポイント、・・・）は、１つ以上の受信アンテナ５０６を通じて１つ以上のＡＴ５０４から無線信号を取得する受信機５１０、および、変調器５２８によって出力された符号化／変調無線信号を送信アンテナ５０８を通じて１つ以上のＡＴ５０４へ送信する送信機５３０を含み得る。受信機５１０は受信アンテナ５０６から情報を入力し得る。また受信機５１０はＡＴ５０４によって送信されたアップリンクデータを受信する信号受信者（図示せず）をさらに含み得る。付加的に、受信機５１０は受信情報を復調する復調器５１２に動作的に接続される。復調したシンボルは通信プロセッサ５１４によって解析される。通信プロセッサ５１４は、基地局５０２によって提供されるかまたは実施される機能に関係する情報を格納するメモリ５１６に接続される。一例において、格納された情報は、無線信号を解析するための、および１つ以上のＡＴ５０４のネットワークサービス要求の取得および復号のための規則またはプロトコルを含み得る。
【手続補正８】
【補正対象書類名】明細書
【補正対象項目名】００９０
【補正方法】変更
【補正の内容】
【００９０】
図１３は、ここに開示されたいくつかの態様に従う、無線通信を支援し得る例示的システム１３００のブロック図を示す。アクセスポイント１３０５において、ダウンリンクで、送信（ＴＸ）データプロセッサ１３１０はトラヒックデータを入力し、フォーマットし、符号化し、インタリービングし、および変調（またはシンボルマッピング）し、変調シンボル（「データシンボル」）を出力する。シンボル変調器１３１５は、データシンボルおよびパイロットシンボルを入力し、処理し、シンボルストリームを出力する。シンボル変調器１３１５は、データおよびパイロットシンボルを多重化し、それらを送信機ユニット（ＴＭＴＲ）１３２０へ出力する。各送信シンボルはデータシンボル、パイロットシンボル、または０の信号値であり得る。パイロットシンボルは、各シンボル期間内に連続的に送られ得る。パイロットシンボルは、周波数分割多元（ＦＤＭ）、直交周波数分割多元（ＯＦＤＭ）、時分割多元（ＴＤＭ）、符号分割多元（ＣＤＭ）、もしくはそれらのまたは類似の変調および／または伝送技術の適切な組合せであり得る。
【国際調査報告】
2011526130.tif 000018
2011526130.tif 000019
2011526130.tif 000020